(57)【要約】【課題】同期発光の制御により危険な場所か安全な場所か、更には消防機器の設置場所等を、直感的に判断して迅速且つ適切な対処行動を可能とする。【解決手段】光警報制御装置１０は、火災感知器１８ａで火災を検出した場合に、火災を検出した火災感知器１８ａの近傍に設置した火災場所の光警報器１８ａを判別し、火災場所の光警報器１２及びその周辺の光警報器を、火災の危険性を示す赤色または橙色を含む暖色系の第１発光色で同期発光し、非常口等の避難場所の近傍に配置した光警報器１２及びその周辺の光警報器１２を、安全性を示す緑を含む中間色系の第２発光色で発光し、消火用水、消火栓又は消火器等を含む所定の消防機器の近傍に配置した光警報器及びその周辺の光警報器を、消防機器の設置場所を示す青を含む寒色系の第３発光色で発光し、それ以外の光警報器１２は白色で発光する。【選択図】図１
2019200809.tif 000002
【特許請求の範囲】
【請求項１】
火災発生時に複数の光警報器を所定の発光周期で同期発光させて火災発生を報知する警報システムによる火災場所の報知方法であって、
火災発生時に、火災を検出した火災感知器の近傍に配置した光警報器については、前記同期発光とは異なる火災場所を示す所定の発光色により前記同期発光と異なるタイミングで発光させることを特徴とする火災場所の報知方法。
【請求項２】
火災発生時に複数の光警報器を所定の発光周期で同期発光させて火災発生を報知する警報システムによる火災場所の報知方法であって、
前記光警報器が、個別に接続された火災感知器から火災を検出した際に出力される火災移報信号を受信した場合に、光警報制御装置に火災場所を通知し、
前記光警報制御装置が、前記光警報器からの火災場所の通知を受信した場合に、当該光警報器については、前記同期発光とは異なる火災場所を示す所定の発光色で発光させることを特徴とする火災場所の報知方法。
【請求項３】
火災発生時に複数の光警報器を所定の発光周期で同期発光させて火災発生を報知する警報システムによる火災場所の報知方法であって、
前記光警報器が、無線式火災感知器から受信した火災電文の受信強度が所定値以上の場合に、光警報制御装置に火災場所を通知し、
前記光警報制御装置が、前記光警報器からの火災場所の通知を受信した場合に、当該光警報器については、前記同期発光とは異なる火災場所を示す所定の発光色で発光させることを特徴とする火災場所の報知方法。
【請求項４】
火災発生時に複数の光警報器を所定の発光周期で同期発光させて火災発生を報知する警報システムによる避難場所の報知方法であって、
火災発生時に、避難場所の光警報器については、前記同期発光とは異なる避難場所を示す所定の発光色により前記同期発光と異なるタイミングで発光させることを特徴とする避難場所の報知方法。
【請求項５】
火災発生時に複数の光警報器を所定の発光周期で同期発光させて火災発生を報知する警報システムによる避難場所の報知方法であって、
前記光警報器が、個別に接続された火災感知器から火災を検出した際に出力される火災移報信号を受信した場合に、光警報制御装置に火災場所を通知し、
前記光警報制御装置が、前記光警報器からの火災場所の通知を受信した場合に、避難場所の光警報器については、前記同期発光とは異なる避難場所を示す所定の発光色で発光させることを特徴とする避難場所の報知方法。
【請求項６】
火災発生時に複数の光警報器を所定の発光周期で同期発光させて火災発生を報知する警報システムによる避難場所の報知方法であって、
前記光警報器が、無線式火災感知器から受信した火災電文の受信強度が所定値以上の場合、光警報制御装置に火災場所を通知し、
前記光警報制御装置が、前記光警報器からの火災場所の通知を受信した場合に、避難場所の光警報器については、前記同期発光とは異なる避難場所を示す所定の発光色で発光させることを特徴とする避難場所の報知方法。
【請求項７】
火災発生時に複数の光警報器を所定の発光周期で同期発光させて火災発生を報知する警報システムによる消防機器設置場所の報知方法であって、
火災発生時に、消防機器設置場所の光警報器については、前記同期発光とは異なる消防機器設置場所を示す所定の発光色により前記同期発光と異なるタイミングで発光させることを特徴とする消防機器設置場所の報知方法。
【請求項８】
火災発生時に複数の光警報器を所定の発光周期で同期発光させて火災発生を報知する警報システムによる消防機器設置場所の報知方法であって、
前記光警報器が、個別に接続された火災感知器から火災を検出した際に出力される火災移報信号を受信した場合に、光警報制御装置に火災場所を通知し、
前記光警報制御装置が、前記光警報器からの火災場所の通知を受信した場合に、消防機器設置場所の光警報器については、前記同期発光とは異なる消防機器設置場所を示す所定の発光色で発光させることを特徴とする消防機器設置場所の報知方法。
【請求項９】
火災発生時に複数の光警報器を所定の発光周期で同期発光させて火災発生を報知する警報システムによる消防機器設置場所の報知方法であって、
前記光警報器が、無線式火災感知器から受信した火災電文の受信強度が所定値以上の場合に、光警報制御装置に火災場所を通知し、
前記光警報制御装置が、前記光警報器からの火災場所の通知を受信した場合に、消防機器設置場所の光警報器については、前記同期発光とは異なる消防機器設置場所を示す所定の発光色で発光させることを特徴とする消防機器設置場所の報知方法。
【請求項１０】
火災発生時に複数の光警報器を所定の発光周期で同期発光させて火災発生を報知する警報システムによる火災関連場所の報知方法であって、
火災発生時に、火災場所の光警報器、避難場所の光警報器及び消防器設置場所の光警報器の少なくとも何れかを判別し、前記判別した光警報器については、前記同期発光とは異なる前記判別した場所を示す所定の発光色により前記同期発光と異なるタイミングで発光させることを特徴とする火災関連場所の報知方法。
【請求項１１】
火災発生時に複数の光警報器を所定の発光周期で同期発光させて火災発生を報知する警報システムによる火災関連場所の報知方法であって、
火災発生時に、火災場所の光警報器、避難場所の光警報器及び消防機器設置場所の光警報器の少なくとも何れかを判別し、前記判別した光警報器については前記同期発光とは異なる前記判別した場所を示す所定の発光色で発光させ、
前記避難場所の光警報器と、前記火災場所の光警報器及び前記消防機器設置場所の光警報器の少なくとも何れか一方が重複した場合、前記避難場所の光警報器を、避難場所を示す所定の発光色で発光させることを特徴とする火災関連場所の報知方法。
【請求項１２】
火災発生時に複数の光警報器を所定の発光周期で同期発光させて火災発生を報知する警報システムによる火災関連場所の報知方法であって、
火災発生時に、火災場所の光警報器、避難場所の光警報器及び消防機器設置場所の光警報器の少なくとも何れかを判別し、前記判別した光警報器については前記同期発光とは異なる前記判別した場所を示す所定の発光色で発光させ、
前記消防機器設置場所の光警報器と、前記火災場所の光警報器及び前記避難場所の光警報器の少なくとも何れか一方が重複した場合、前記消防機器設置場所の光警報器を、消防機器設置場所を示す所定の発光色で発光させることを特徴とする火災関連場所の報知方法。
【請求項１３】
火災発生時に複数の光警報器を所定の発光周期で同期発光させて火災発生を報知する警報システムによる火災関連場所の報知方法であって、
前記光警報器が、個別に接続された火災感知器から火災を検出した際に出力される火災移報信号を受信した場合に、光警報制御装置に火災場所を通知し、
前記光警報制御装置が、前記光警報器からの火災場所の通知を受信した場合に、当該光警報器、避難場所の光警報器及び消防機器設置場所の光警報器の少なくとも何れかを判別し、前記判別した光警報器については前記同期発光とは異なる前記判別した場所を示す所定の発光色で発光させることを特徴とする火災関連場所の報知方法。
【請求項１４】
火災発生時に複数の光警報器を所定の発光周期で同期発光させて火災発生を報知する警報システムによる火災関連場所の報知方法であって、
前記光警報器が、無線式火災感知器から受信した火災電文の受信強度が所定値以上の場合に、光警報制御装置に火災場所を通知し、
前記光警報制御装置が、前記光警報器からの火災場所の通知を受信した場合に、当該光警報器、避難場所の光警報器及び消防機器設置場所の光警報器の少なくとも何れかを判別し、前記判別した光警報器については前記同期発光とは異なる前記判別した場所を示す所定の発光色で発光させることを特徴とする火災関連場所の報知方法。
【発明の詳細な説明】
【技術分野】
【０００１】
本発明は、火災時に複数の光警報器を同期発光により点滅して火災の発生を報知する警報システムによる火災場所、避難場所及び消防機器設置場所の報知方法に関する。
【背景技術】
【０００２】
従来、オフィスビル、店舗ビル、病院、ホテル等の建物には、火災を監視し、火災が発生した場合に、建物内の人々に異常の発生を報知するための警報システムとして、自動火災報知システムが設置されている。このような自動火災報知システムにおいては、火災発生の報知はブザー、ベル、メッセージ等の音響により行なわれるのが一般的である。また、この音響による報知と共に、ＬＥＤや赤色ランプ等を用いた表示報知も適宜行われる。
【０００３】
ところで、近年、火災発生を音響とともに視認性の高い高光度の白色光（フラッシュ光）を点滅することにより火災の発生を報知する警報システムも提案されている（例えば、特許文献１乃至３参照）。このような警報システムによれば、音響だけでなく強い光の点
滅により火災発生を報知するため、例えば聴覚不自由者にも、災害の発生を早期に、且つ確実に認識させることができる。また、配線による手間とコストを低減するため、無線式の警報システムも提案されている（例えば特許文献４参照）。
【０００４】
このように光警報を行う警報システムは、火災発生時に、火災受信機側の光警報制御装置から所定周期毎に同期信号を光警報器に送信し、同期信号を受信した光警報器は所定周期で発光を繰り返す同期発光を行い、バラバラのタイミングで発光することにより眩惑を起こす光過敏性発作の問題を解消可能とする。
【先行技術文献】
【特許文献】
【０００５】
【特許文献１】実用新案登録第３１１３９４６号公報
【特許文献２】特開２００５−１６５７４０号公報
【特許文献３】特開２０１１−１９８１９４号公報
【特許文献４】特開２０１４−１８６４３０号公報
【特許文献５】特開２０１３−１０９３８８号公報
【特許文献６】特開２０１１−１５４７０６号公報
【特許文献７】特開２０１１−７６１９９号公報
【発明の概要】
【発明が解決しようとする課題】
【０００６】
しかしながら、光警報を行う従来の警報システムにあっては、警戒区域の例えば避難経路に沿って設置した複数の光警報器を高光度の白色光により同期発光しており、同期発光による光警報からは、火災場所に近く危険な場所であるか、また、非常口に近い安全な場所であるかは同期発光からは分からず、周囲の状況や非常口を示す標識を見て行動せざるを得ず、迅速且つ適切な避難行動をとることができない可能性が残る。
【０００７】
また、避難経路の途中には消火用水、消火栓、消火器等の消防機器を設置している場所もあるが、そのような場所は相当な注意を払っていないとわからず、初期消火等が適切に行えない可能性がある。
【０００８】
本発明は、同期発光の制御により危険な場所か安全な場所か、更には消防機器の設置場所等を、直感的に判断して迅速且つ適切な対処行動を可能とする、火災場所、避難場所及び消防機器設置場所の報知方法を提供することを目的とする。
【課題を解決するための手段】
【０００９】
（火災場所の報知方法）
本発明は、火災発生時に複数の光警報器を所定の発光周期で同期発光させて火災発生を報知する警報システムによる火災場所の報知方法であって、
光警報器が、個別に接続された火災感知器から火災を検出した際に出力される火災移報信号を受信した場合に、光警報制御装置に火災場所を通知し、
光警報制御装置が、光警報器からの火災場所の通知を受信した場合に、当該光警報器については、同期発光とは異なる火災場所を示す所定の発光色で発光させることを特徴とする。
【００１０】
また本発明は、火災発生時に複数の光警報器を所定の発光周期で同期発光させて火災発生を報知する警報システムによる火災場所の報知方法であって、
光警報器が、個別に接続された火災感知器から火災を検出した際に出力される火災移報信号を受信した場合に、光警報制御装置に火災場所を通知し、
光警報制御装置が、光警報器からの火災場所の通知を受信した場合に、当該光警報器については、同期発光とは異なる火災場所を示す所定の発光色で発光させることを特徴とする。
【００１１】
また本発明は、火災発生時に複数の光警報器を所定の発光周期で同期発光させて火災発生を報知する警報システムによる火災場所の報知方法であって、
光警報器が、無線式火災感知器から受信した火災電文の受信強度が所定値以上の場合に、光警報制御装置に火災場所を通知し、
光警報制御装置が、光警報器からの火災場所の通知を受信した場合に、当該光警報器については、同期発光とは異なる火災場所を示す所定の発光色で発光させることを特徴とする。
【００１２】
（避難場所の報知方法）
本発明は、火災発生時に複数の光警報器を所定の発光周期で同期発光させて火災発生を報知する警報システムによる避難場所の報知方法であって、
火災発生時に、避難場所の光警報器については、同期発光とは異なる避難場所を示す所定の発光色により同期発光と異なるタイミングで発光させることを特徴とする。
【００１３】
また本発明は、火災発生時に複数の光警報器を所定の発光周期で同期発光させて火災発生を報知する警報システムによる避難場所の報知方法であって、
光警報器が、個別に接続された火災感知器から火災を検出した際に出力される火災移報信号を受信した場合に、光警報制御装置に火災場所を通知し、
光警報制御装置が、光警報器からの火災場所の通知を受信した場合に、避難場所の光警報器については、同期発光とは異なる避難場所を示す所定の発光色で発光させることを特徴とする。
【００１４】
また本発明は、火災発生時に複数の光警報器を所定の発光周期で同期発光させて火災発生を報知する警報システムによる避難場所の報知方法であって、
光警報器が、無線式火災感知器から受信した火災電文の受信強度が所定値以上の場合、光警報制御装置に火災場所を通知し、
光警報制御装置が、光警報器からの火災場所の通知を受信した場合に、避難場所の光警報器については、同期発光とは異なる避難場所を示す所定の発光色で発光させることを特徴とする。
【００１５】
（消防機器設置場所の報知方法）
本発明は、火災発生時に複数の光警報器を所定の発光周期で同期発光させて火災発生を報知する警報システムによる消防機器設置場所の報知方法であって、
火災発生時に、消防機器設置場所の光警報器については、同期発光とは異なる消防機器設置場所を示す所定の発光色により同期発光と異なるタイミングで発光させることを特徴とする。
【００１６】
また本発明は、火災発生時に複数の光警報器を所定の発光周期で同期発光させて火災発生を報知する警報システムによる消防機器設置場所の報知方法であって、
光警報器が、個別に接続された火災感知器から火災を検出した際に出力される火災移報信号を受信した場合に、光警報制御装置に火災場所を通知し、
光警報制御装置が、光警報器からの火災場所の通知を受信した場合に、消防機器設置場所の光警報器については、同期発光とは異なる消防機器設置場所を示す所定の発光色で発光させることを特徴とする。
【００１７】
また本発明は、火災発生時に複数の光警報器を所定の発光周期で同期発光させて火災発生を報知するする警報システムによる消防機器設置場所の報知方法であって、
光警報器が、無線式火災感知器から受信した火災電文の受信強度が所定値以上の場合に、光警報制御装置に火災場所を通知し、
光警報制御装置が、光警報器からの火災場所の通知を受信した場合に、消防機器設置場所の光警報器については、同期発光とは異なる消防機器設置場所を示す所定の発光色で発光させることを特徴とする。
【００１８】
（火災関連場所の報知方法）
本発明は、火災発生時に複数の光警報器を所定の発光周期で同期発光させて火災発生を報知する警報システムによる火災関連場所の報知方法であって、
火災発生時に、火災場所の光警報器、避難場所の光警報器及び消防器設置場所の光警報器の少なくとも何れかを判別し、判別した光警報器については、同期発光とは異なる判別した場所を示す所定の発光色により同期発光と異なるタイミングで発光させることを特徴とする。
【００１９】
また本発明は、火災発生時に複数の光警報器を所定の発光周期で同期発光させて火災発生を報知する警報システムによる火災関連場所の報知方法であって、
火災発生時に、火災場所の光警報器、避難場所の光警報器及び消防機器設置場所の光警報器の少なくとも何れかを判別し、判別した光警報器については同期発光とは異なる判別した場所を示す所定の発光色で発光させ、
避難場所の光警報器と、火災場所の光警報器及び消防機器設置場所の光警報器の少なくとも何れか一方が重複した場合、避難場所の光警報器を、避難場所を示す所定の発光色で発光させることを特徴とする。
【００２０】
また本発明は、火災発生時に複数の光警報器を所定の発光周期で同期発光させて火災発生を報知する警報システムによる火災関連場所の報知方法であって、
火災発生時に、火災場所の光警報器、避難場所の光警報器及び消防機器設置場所の光警報器の少なくとも何れかを判別し、判別した光警報器については同期発光とは異なる判別した場所を示す所定の発光色で発光させ、
消防機器設置場所の光警報器と、火災場所の光警報器及び避難場所の光警報器の少なくとも何れか一方が重複した場合、消防機器設置場所の光警報器を、消防機器設置場所を示す所定の発光色で発光させることを特徴とする。
【００２１】
また本発明は、火災発生時に複数の光警報器を所定の発光周期で同期発光させて火災発生を報知する警報システムによる火災関連場所の報知方法であって、
光警報器が、個別に接続された火災感知器から火災を検出した際に出力される火災移報信号を受信した場合に、光警報制御装置に火災場所を通知し、
光警報制御装置が、光警報器からの火災場所の通知を受信した場合に、当該光警報器、避難場所の光警報器及び消防機器設置場所の光警報器の少なくとも何れかを判別し、判別した光警報器については同期発光とは異なる前記判別した場所を示す所定の発光色で発光させることを特徴とする。
【００２２】
また本発明は、火災発生時に複数の光警報器を所定の発光周期で同期発光させて火災発生を報知する警報システムによる火災関連場所の報知方法であって、
光警報器が、無線式火災感知器から受信した火災電文の受信強度が所定値以上の場合に、光警報制御装置に火災場所を通知し、
光警報制御装置が、光警報器からの火災場所の通知を受信した場合に、当該光警報器、避難場所の光警報器及び消防機器設置場所の光警報器の少なくとも何れかを判別し、判別した光警報器については同期発光とは異なる判別した場所を示す所定の発光色で発光させることを特徴とする。
【発明の効果】
【００２３】
（火災場所の第１発光色による発光の効果）
第１発明は、警戒区域に設置した火災感知器からの火災信号を受信機で受信して警報する火災報知設備と、警戒区域に配置した複数の光警報器と、火災時に複数の光警報器を所定の発光周期で同期発光するように制御する光警報制御装置とを備えた警報システムに於いて、光警報制御装置は、火災感知器で火災を検出した場合に、当該火災を検出した火災感知器の近傍に設置した火災場所の光警報器を判別し、火災場所の光警報器及びその周辺の光警報器を、所定の発光色で発光させ、火災場所の光警報器は、所定の発光色を、赤色または橙色を含む暖色系の発光色とするようにしたため、例えば避難経路に沿って配置した光警報器や大空間のフロアに配置した光警報器につき、火災を検出した場合に一斉に高輝度の白色光で点滅する同期発光を行うと共に、火災場所に近い光警報器は危険性を示す赤色または橙色を含む暖色系の発光色で同期発光することで、直感的に火災の危険性を判断し、火災場所から遠ざかる方向に避難することができる。
【００２４】
（非常口の第２発光色による発光の効果）
第２発明は、第１発明と同じ警報システムに於いて、光警報制御装置は、火災感知器で火災を検出した場合に、警戒区域の非常口又は避難設備の近傍に配置した避難場所の光警報器を判別し、避難場所の光警報器及びその周辺の光警報器を、所定の発光色で発光させ、避難場所の光警報器は、所定の発光色を、緑色を含む中間色系の発光色とするようにしたため、例えば避難経路に沿って配置した光警報器や大空間のフロアに配置した光警報器につき、火災を検出した場合に一斉に高輝度の白色光で点滅する同期発光を行うと共に、非常口や避難はしご等の避難場所に近い光警報器は安全性を示す緑色を含む中間色系の発光色で同期発光することで、直感的に安全性を判断してその方向に向かって安全且つ迅速に避難することを可能とする。
【００２５】
（消防機器の第３発光色による発光の効果）
第３発明は、第１発明と同じ警報システムに於いて、光警報制御装置は、火災感知器で火災を検出した場合に、警戒区域の消火用水、消火栓又は消火器を含む所定の消防機器の近傍に配置した消防機器設置場所の光警報器を判別し、消防機器設置場所の光警報器及びその周辺の光警報器を、所定の発光色で発光させ、消防機器設置場所の光警報器は、所定の発光色を、青色を含む寒色系の発光色とするようにしたため、例えば避難経路に沿って配置した光警報器や大空間のフロアに配置した光警報器につき、火災を検出した場合に一斉に高輝度の白色光で点滅する同期発光を行うと共に、消火用水、消火栓又は消火器を含む所定の消防機器の設置場所に近い光警報器はその設置場所を示す青色を含む寒色系の発光
色で同期発光することで、直感的に消防機器の設置場所を判断して消火用水、消火栓又は消火器等による初期消火を可能とする。
【００２６】
（火災場所、非常口、消防機器設置場所の表示による効果）
第４発明は、第１発明と同じ警報システムに於いて、光警報制御装置は、火災感知器で火災を検出した場合に、当該火災を検出した火災感知器の近傍に設置した火災場所の光警報器、警戒区域の非常口又は避難設備の近傍に配置した避難場所の光警報器、及び警戒区域の消火用水、消火栓又は消火器を含む所定の消防機器の近傍に配置した消防機器設置場所の光警報器の少なくとも何れかを判別し、判別した光警報器及びその周辺の光警報器を、判別した場所を示す所定の発光色で発光させるようにしたため、前述した第１乃至第３発明による効果を合わせた効果が得られる。
【００２７】
（発光色による効果）
また、第４発明の光警報制御装置は、火災場所の光警報器及びその周辺の光警報器を所定の第１発光色で発光させ、避難場所の光警報器及びその周辺の光警報器を所定の第２発光色で発光させ、消防機器設置場所の光警報器及びその周辺の光警報器を所定の第３発光色で発光させ、火災場所を示す第１発光色を、赤色または橙色を含む暖色系の発光色とし、避難場所を示す第２発光色を、緑色を含む中間色系の発光色とし、消防機器設置場所を示す第３発光色を、青色を含む寒色系の発光色とするようにしたため、赤色または橙色を含む暖色系の第１発光色による同期発光で、火災による危険性を直感的に判断することを可能とし、また、緑を含む中間色系の発光色による同期発光で、非常口や避難はしご等の避難設備がある安全性の高い避難場所であることを直感的に判断し、更に、青を含む寒色系の発光色による同期発光で、消火栓や消火器等の消防機器の設置場所であることを直感的に判断することを可能とする。
【００２８】
（発光色制御のタイミングによる効果）
また、第１乃至第４発明の光警報器は、同期発光による発光色を前記所定の発光色とするか、前記同期発光と異なるタイミングによる発光色を前記所定の発光色とするようにしたため、同期発光による所定の発光色で火災場所、避難場所、又は消防機器設置場所の判断を可能とするか、或いは、同期発光の間の発光による発光色で火災場所、避難場所、又は消防機器設置場所の判断を可能とする。
【００２９】
（火災場所を優先して発光色制御する効果）
また、第４発明の光警報制御装置は、火災場所及びその周辺の光警報器に対し、避難場所及びその周辺の光警報器並びに消防機器設置場所及びその周辺の光警報器の少なくとも何れか一方が重複した場合、火災場所及びその周辺の光警報器の所定の発光色による発光を優先させることで、非常口や避難設備等の避難場所に近い場所で火災が発生した場合に、火災による危険な場所を避けて非常口等の避難場所に向かうといった適切な避難行動を可能とする。
【００３０】
（避難場所を優先して発光色制御する効果）
また、第４発明の光警報制御装置は、避難場所及びその周辺の光警報器に対し、火災場所及びその周辺の光警報器並びに消防機器設置場所及びその周辺の光警報器の少なくとも何れか一方が重複した場合、避難場所及びその周辺の光警報器の所定の発光色による発光を優先させることで、例えば非常口等の避難場所が火災場所に近くとも非常口を示す発光色による表示を優先して非常口からの避難を促すことを可能とする。
【００３１】
（消防機器設置場所を優先して発光色制御する効果）
また、第４発明の光警報制御装置は、消防機器設置場所及びその周辺の光警報器に対し、火災場所及びその周辺の光警報器並びに避難場所及びその周辺の光警報器の少なくとも
何れか一方が重複した場合、消防機器設置場所及びその周辺の光警報器の所定の発光色による発光を優先させることで、消火用水、消火栓、消火器等の消防機器の使用による迅速な初期消火を可能とする。
【００３２】
（優先度の設定による発光色制御の効果）
また、第４発明の光警報制御装置は、火災場所、避難場所及び消防機器設置場所の各々に対応した所定の発光色の優先度を予め設定し、火災場所及びその周辺の光警報器、避難場所及びその周辺の光警報器、並びに消防機器設置場所及びその周辺の光警報器の何れかが重複した場合、優先度の高い発光色による発光を優先させることで、火災場所、避難場所並びに消防機器設置場所が重複した場合に、必要に応じて設定した優先度に従って何れかの発光色による優先的な表示を可能とする。
【００３３】
（感知器アドレスによる火災場所の光警報器の判別による効果）
また、火災感知器は固有のアドレスを持ち、アドレスを含む火災信号を受信機に送信し、光警報制御装置は、受信機から火災を検出した火災感知器のアドレスを取得して、火災場所の光警報器を判別するようにしたため、例えば火災感知器に固有のアドレスを設定して火災感知器毎に火災を判断可能とした所謂Ｒ型の火災報知設備を利用して、確実に火災場所の光警報器を判別して、発光色による危険性と安全性の判断を可能とする。
【００３４】
（感知器ベースの移報回路による火災近辺の光警報器の判別による効果）
また、火災感知器は、感知器本体を着脱自在に装着する感知器ベースに移報回路を備え、移報回路から移報信号線を近傍に配置した前記光警報器に接続し、光警報器は火災感知器から接続した移報信号線により火災移報信号を受信した場合に、光警報制御装置に火災場所を通知し、光警報制御装置は、光警報器からの火災場所の通知を受信して、火災場所の光警報器を判別するようにしたため、火災感知器で火災を検知した場合に出力される火災移報信号を光警報器で直接受信することで、火災場所の光警報器を簡単且つ確実に判別し、発光色による危険性と安全性の判断を可能とする。
【００３５】
（無線式Ｐ型火災報知設備による火災場所の光警報器の判別による効果）
また、火災報知設備は、受信機から警戒区域に引き出された感知器回線に受信用中継器を接続し、受信用中継器に対応した警戒区域に設置した無線式火災感知器からの火災電文を、受信用中継器を介して感知器回線単位に前記受信機で受信して警報し、光警報器は、無線式火災感知器から受信した火災電文の受信強度が所定値以上の場合に火災場所を示す火災場所を光警報制御装置に通知し、光警報制御装置は、光警報器からの火災場所の通知を受信して、火災場所の光警報器を判別するようにしたため、火災感知器から無線送信した火災信号を光警報器で受信して所定値以上の受信強度の場合に火災場所と判断して光警報制御装置に通知して認識させることで、火災場所の光警報器を確実に判別し、発光色による危険性と安全性の判断を可能とする。
【００３６】
（地図情報による火災場所の光警報器の判別による効果）
また、光警報制御装置は、火災感知器で火災を検出した場合に、警戒区域のフロアマップ等の地図情報に基づいて火災場所の光警報器を判別するようにしたため、火災を検知した火災感知器に近い光警報器を正確に判別して、発光色による火災による危険性の判断を可能とする。
【００３７】
（避難経路の同期発光による効果）
また、光警報制御装置は非常口に向かう避難経路に沿って所定間隔で配置され、光警報器は火災場所及びその周辺の光警報器を第１発光色で発光し、非常口及びその周辺の光警報器を第２発光色で発光し、消防機器の設置場所を第３発光色で発光することで、避難経路の途中の火災場所から遠ざかり、非常口の場所を知って迅速且つ安全な避難行動を可能
とし、更に、消防機器の設置場所を知って迅速な初期消火を可能とする。
【００３８】
（フロアの同期発光による効果）
また、光警報制御装置は、大空間施設のフロア天井側となる設置面の縦及び横方向に配置され、光警報器は火災場所及びその周辺の光警報器を第１発光色で発光し、フロア非常口及びその周辺の光警報器を第２発光色で発光するようにしたため、フロア内の火災場所から遠ざかり、非常口の場所を知って最短距離で直線的に向う迅速且つ安全な避難行動を可能と、更に、フロア内での消防機器の設置場所を知って迅速な初期消火を可能とする。
【図面の簡単な説明】
【００３９】
【図１】Ｒ型火災報知設備に連携して避難経路に配置した光警報器の発光色を制御する警報システムの概略を示した説明図
【図２】図１の火災受信機、火災感知器、光警報制御装置及び光警報器の機能構成を示したブロック図
【図３】片側に非常口がある避難経路における光警報器の配置と発光色を示した説明図
【図４】図３の避難経路について火災を検出した火災感知器のアドレスを、発光色を制御する光警報器アドレスに変換する処理を示した説明図
【図５】図２の光警報制御装置による制御動作を示したフローチャート
【図６】大空間施設のフロアに配置した光警報器の発光色を制御する警報システムの概略を示した説明図
【図７】図６のフロアに設置した光警報器による火災場所と非常口の発光色制御を示した説明図
【図８】図６のフロアについて火災を検出した火災感知器のアドレスを、発光色を制御する光警報器アドレスに変換する処理を示した説明図
【図９】図６の光警報制御装置による制御動作を示したフローチャート
【図１０】Ｐ型火災報知設備に連携して避難経路に配置した光警報器の発光色を制御する警報システムの概略を示した説明図
【図１１】図１０の火災受信機、火災感知器、光警報制御装置及び光警報器の機能構成を示したブロック図
【図１２】無線式Ｐ型火災報知設備に連携して避難経路に配置した光警報器の発光色を制御する警報システムの概略を示した説明図
【図１３】図１２の火災受信機、無線式火災感知器、光警報制御装置及び光警報器の機能構成を示したブロック図
【発明を実施するための形態】
【００４０】
（Ｒ型火災報知設備と連携した警報システムの構成）
図１はＲ型火災報知設備に連携して避難経路に配置した光警報器の発光色を制御する警報システムの概略を示した説明図である。
【００４１】
図１に示すように、本実施形態の警報システムは、Ｒ型の自動火災報知設備との連携を例にとっており、Ｒ型火災受信機１６ａから警戒区域に向けて引き出した伝送路２０ａに、固有のアドレスを設定したアナログ型の火災感知器１８ａを接続している。Ｒ型火災受信機１６ａは火災感知器１８ａからアドレスを含む火災発報電文を受信し、感知器アドレスにより火災場所を特定した火災警報を出力する。
【００４２】
Ｒ型火災受信機１６ａに対しては光警報制御装置１０を接続し、光警報制御装置１０から引き出した伝送路１４に警戒区域の避難経路に沿って配置した複数の光警報器１２を接続している。光警報制御装置１０はＲ型火災受信機１６ａから火災警報に基づく火災移報信号を受信すると、伝送路１４に所定の発光周期毎に同期発光信号を送信し、光警報器１２の同期発光による光警報制御を行う。
【００４３】
また、光警報制御装置１０は、火災感知器１８ａで火災を検出した場合に、火災を検出した火災感知器１８ａの近傍に設置した火災場所の光警報器１２を判別し、火災場所の光警報器１２及びその周辺の光警報器１２を、火災の危険性を示す所定の第１発光色で同期発光する。ここで、第１発光色としては、火災の危険性を示す赤色又は橙色を含む暖色系の発光色とし、以下の説明では第１発光色として赤色とした場合を例にとる。
【００４４】
また、光警報制御装置１０は、火災感知器１８ａで火災を検出した場合に、避難経路が向かう非常口や避難はしご等の避難設備を含む避難場所の近傍に配置した予め定めた光警報器１２を判別し、非常口の光警報器１２及びその周辺の予め定めた光警報器１２を、安全性を示す所定の第２発光色で同期発光する。
【００４５】
ここで、第２発光色としては、非常口などの避難場所の安全性を示す緑色を含む中間色系の発光色とする。なお、第２発光色により安全性を示す場所としては、非常口以外に、避難はしご等を設置した避難設備、避難誘導灯の設置場所や所定の安全地帯等が含まれるが、以下の説明は、非常口を例にとる。
【００４６】
更に、光警報制御装置１０は、火災感知器１８ａで火災を検出した場合に、避難経路に配置している消火用水、消火栓、消火器等の消防機器の設置場所の近傍に配置した予め定めた消防機器設置場所の光警報器１２を判別し、消防機器設置場所の光警報器１２及びその周辺の予め定めた光警報器１２を、消防機器の設置場所を示す第３発光色で同期発光する。ここで、第３発光色としては、消防機器の設置場所を示す青色を含む寒色系の発光色とする。
【００４７】
このため避難経路を通って避難する人は、光警報器１２の火災場所を示す赤色の同期発光から直感的に火災の危険性を判断し、火災場所から遠ざかる方向に避難することができ、また、非常口等の避難場所に近い光警報器１２の安全性を示す緑色の同期発光から直感的に安全性を判断してその方向に向かって安全且つ迅速に避難することを可能し、更に、光警報器１２の青色の同期発光から直感的に消防機器の設置場所を知って迅速な初期消火を可能とする。
【００４８】
ここで、光警報制御装置１０による火災場所の光警報器１２を判別する手法としては、火災感知器１８ａのアドレスとその近傍に配置した光警報器１２のアドレスとの変換テーブルを予め準備しておき、感知器アドレスを光警報器アドレスに変換して、火災場所の光警報器１２を判別する。
【００４９】
また、警戒区域の地図情報、例えばフロアマップ等を準備し、火災を検出した火災感知器１８ａに最も近い光警報器１２を地図情報から検索して、火災場所の光警報器１２を判別してもよい。この地図情報に基づく判別は、担当者が地図情報を見て手動で火災場所の光警報器１２を判別して光警報制御装置１０に設定入力するようにしても良いし、Ｒ型火災受信機１６ａとは別に設置した防災表示装置で管理している警戒区域の地図情報から自動的に検索して光警報制御装置１０に提供するように指定も良い。なお、本実施形態では、変換テーブルによるアドレス変換で火災場所の光警報器を判別する手法を例にとって説明する。
【００５０】
なお、光警報制御装置１０による火災場所、避難場所又は消防機器設置場所の赤色、緑色又は青色の発光色による同期発光の制御の各々が本願の第１発明、第２発明又は第３発明の実施形態となり、また、火災場所、避難場所及び消防機器設置場所の各々の赤色、緑色及び青色の発光色による同期発光の制御が本願の第４発明の実施形態となる。以下の説明は、本願の第４発明の実施形態について説明する。
【００５１】
（警報システムの機能構成）
図２は図１の火災受信機、光警報制御装置及び光警報器の機能構成を示したブロック図、図３は片側に非常口がある避難経路における光警報器の配置を示した説明図、図４は図３の避難経路について火災を検出した火災感知器のアドレスを、発光色を制御する光警報器アドレスに変換する処理を示した説明図である。
【００５２】
（火災受信機）
Ｒ型火災受信機１６ａは、制御部２６を備え、制御部２６に対し伝送部２８ａ、表示部３０、操作部３２、警報部３４及び移報部３６を設けている。
【００５３】
Ｒ型火災受信機１６ａの制御部２６は、例えばプログラムの実行により実現される機能であり、ハードウェアとしてはＣＰＵ、メモリ、各種の入出力ポート等を備えたコンピュータ回路等を使用しており、伝送部２８ａにより火災感知器１８ａからの火災発報電文を受信すると、警報部３４により火災警報を出力すると共に、表示部３０により火災場所を示す表示を行い、更に、移報部３６から火災発生場所を示す感知器アドレスを含む火災移報信号を光警報制御装置１０に出力する。
【００５４】
（光警報器）
光警報器１２は、制御部４４、伝送部４６、及び発光部４８を備え、伝送路１４から電源供給を受けて動作する。光警報器１２の制御部４４は、例えばプログラムの実行により実現される機能であり、ハードウェアとしてはＣＰＵ、メモリ、各種の入出力ポート等を備えたコンピュータ回路等を使用する。
【００５５】
伝送部４６は光警報制御装置１０との間で電文を送受信すると共に光警報制御装置１０から送信した発光同期信号を受信する。
【００５６】
発光部４８には高輝度ＬＥＤやフラッシュライト等とその駆動回路を、白色発光部、赤色発光部、緑色発光部及び青色発光部の４つに分けて設けており、光警報制御装置１０から送信された発光色設定電文により白色発光部、赤色発光部、緑色発光部または青色発光部が選択され、続いて、光警報制御装置１０から予め設定した発光周期Ｔｆ、例えばＴｆ＝２秒の周期で送られてくる発光同期信号を受信する毎に、選択した白色発光部、赤色発光部、緑色発光部または青色発光部を、発光周期Ｔｆ＝２秒の周期で例えば１００ミリ秒の発光時間となる点滅を繰り返す。
【００５７】
ここで、図２の光警報器１２は、図３に示すように、非常口２４に向かう避難経路２２に沿って所定間隔で配置しており、非常口に向かって増加するようにアドレスＡ＝１〜２０を設定している。
【００５８】
（光警報制御装置）
光警報制御装置１０は、制御部３８、移報受信部４０及び伝送部４２を備え、Ｒ型火災受信機１６ａからの電源又は専用電源で動作する。光警報制御装置１０の制御部３８は、例えばプログラムの実行により実現される機能であり、ハードウェアとしてはＣＰＵ、メモリ、各種の入出力ポート等を備えたコンピュータ回路等を使用する。
【００５９】
光警報制御装置１０の制御部３８は、移報受信部４０による火災場所の感知器アドレスＳＡを含む火災移報信号の受信を検出すると、予め設定した変換テーブルを参照して感知器アドレスＳＡを火災場所の光警報器アドレスＡに変換し、火災場所の光警報器アドレスＡとその周囲の光警報器アドレスＡｉを求め、これらのアドレスＡ，Ａｉの光警報器１２に赤色発光設定電文を送信して赤色発光を設定する制御を行う。
【００６０】
図４は火災場所の光警報器アドレスＡからその周囲の光警報器アドレスＡｉを生成するアドレス計算テーブル５０ａの一例であり、火災場所の光警報器アドレスＡの両側２台までを範囲を火災エリアとする場合を例にとっている。
【００６１】
図４のアドレス計算テーブル５０ａには、火災場所の光警報器アドレスＡに続いてその両側２台までを周辺アドレスとして求めるアドレス生成式（Ａ−１）、（Ａ−２）、（Ａ＋１）、（Ａ＋２）を格納している。
【００６２】
例えば図３において、避難経路２２に配置したアドレスＡ＝４の光警報器が火災場所となった場合、図４に示すように、アドレス計算処理５２ａとして、アドレス計算テーブル５０ａのアドレスＡにＡ＝４を代入して計算することにより、アドレステーブル５４ａに示すアドレスＡ＝４，３，２，５，６が得られ、これらのアドレスの光警報器１２に赤色発光の発光色設定電文を送信して赤色発光を選択することで、続いて発光周期Ｔｆで送信する発光同期信号により、図３のアドレスＡ＝２〜６の光警報器１２を、黒丸で示すように、赤色発光により同期発光し、火災場所２５に近い危険な場所であることを表示する。
【００６３】
また、光警報制御装置１０の制御部３８は、非常口２４の近傍の光警報器のアドレスＡ＝２０と、その手前の２台の光警報器のアドレスＡ＝１８，１９を、メモリに設けた安全エリアのアドレステーブルに予め記憶しており、移報受信部４０により火災移報信号の受信を検出した場合、安全エリアのアドレステーブルから光警報器アドレス、例えばＡ＝１８〜２０を読出し、これらのアドレスの光警報器１２に緑色発光の発光色設定電文を送信して緑色発光を選択することで、続いて発光周期Ｔｆで送信する発光同期信号により、図３のアドレスＡ＝１８〜２０の光警報器１２を、斜線の丸で示すように、緑色発光により同期発光し、非常口２４に近い安全な場所であることを表示する。
【００６４】
この安全エリアの光警報器アドレスを生成する場合にも、図４に示したアドレス計算テーブル５０ａに非常口２４の光警報器アドレスＡ＝２０を代入することで、図示で左側２台の光警報器アドレスＡ＝１８，１９を求めることができる。
【００６５】
更に、光警報制御装置１０の制御部３８は、消防機器２３の近傍の光警報器のアドレスＡ＝１３と、その両側の各２台の光警報器のアドレスＡ＝１１，１２，１４，１５を、メモリに設けた消防機器設置エリアのアドレステーブルに予め記憶しており、移報受信部４０により火災移報信号の受信を検出した場合、消防機器エリアのアドレステーブルから光警報器アドレス、例えばＡ＝１１〜１５を読出し、これらのアドレスの光警報器１２に緑色発光の発光色設定電文を送信して青色発光を選択することで、続いて発光周期Ｔｆで送信する発光同期信号により、図３のアドレスＡ＝１１〜１５の光警報器１２を、砂地の丸で示すように、青色発光により同期発光し、消防機器２３の設置場所であることを表示する。
【００６６】
この消防機器設置エリアの光警報器アドレスを生成する場合にも、図４に示したアドレス計算テーブル５０ａに消防機器２３の光警報器アドレスＡ＝１３を代入することで、図示で両側各２台の光警報器アドレスＡ＝１１，１２，１４，１５を求めることができる。
【００６７】
なお、非常口を示す緑色発光を設定する光警報器は、非常口２４の位置により固定的に決まることから、例えばアドレスＡ＝１８〜２０の光警報器１２に設けたディップスイッチの操作等や不揮発メモリへの書込みにより、緑色発光を予め設定記憶しても良い。同様に消防機器設置場所を示す緑色発光を設定する光警報器は、消防機器２３の設置場所により固定的に決まることから、例えばアドレスＡ＝１１〜１５の光警報器１２に設けたディップスイッチの操作等や不揮発メモリへの書込みにより、青色発光を予め設定記憶しても
良い。
【００６８】
また、光警報制御装置１０は、赤色発光、緑色発光又は青色発光を設定していない白色発光の光警報器については、白色発光の発光色設定電文を送信して設定することになるが、白色発光を初期設定とすることで、発光色設定電文の送信を必要とすることなく、白色発光の同期発光を行っても良い。
【００６９】
（発光色を選択する発光制御）
図５は図２の光警報制御装置による制御動作を示したフローチャートである。図５に示すように、光警報制御装置１０の制御部３８は、ステップＳ１でＲ型火災受信機１６ａから火災を検出した感知器アドレスを含む火災移報信号を受信すると、ステップＳ２に進んで予め準備したアドレス変換テーブルを使用し、感知器アドレスを火災場所の光警報器アドレスに変換し、ステップＳ３で火災場所の光警報器アドレスＡを図４に示したアドレス計算テーブル５０ａに代入して、その周辺に位置する光警報器１２を示す火災エリアのアドレスを生成する。
【００７０】
続いてステップＳ４に進み、予め記憶している安全エリアのアドレステーブルから非常口およびその周囲の光警報器１２を示すアドレスを読出して生成し、次に、ステップＳ５に進み、予め記憶している消防機器設置エリアのアドレステーブルから消防機器設置場所およびその周囲の光警報器１２を示すアドレスを読出して生成する。
【００７１】
続いて、ステップＳ６で火災エリアのアドレスを指定した赤色発光の発光色設定電文、安全エリアのアドレスを指定した緑色発光の発光色設定電文、及び消防機器設置エリアのアドレスを指定した青色発光の発光色設定電文を生成してそれぞれ送信し、発光色を設定する。
【００７２】
続いて、ステップＳ７で発光周期Ｔｆ毎に発光同期信号を送信し、火災エリアの光警報器１２を赤色発光により同期発光し、安全エリアの光警報器１２を緑色発光により同期発光し、消防機器設置エリアの光警報器１２を青色発光により同期発光し、さらに、それ以外の光警報器１２は白色発光により同期発光とする。
【００７３】
続いてステップＳ８で火災復旧を監視しており、火災復旧を判別するとステップＳ９に進んで同期発光信号の送信を停止する。
【００７４】
［大空間施設のフロアに設置した警報システム］
図６は大空間施設のフロアに配置した光警報器の発光色を制御する警報システムの概略を示した説明図、図７は図６のフロアに設置した光警報器による火災場所と非常口の発光色制御を示した説明図、図８は図６のフロアについて火災を検出した火災感知器アドレスを発光色を制御する光警報器アドレスに変換する処理を示した説明図である。
【００７５】
（警報システムの構成と機能）
図６に示すように、本実施形態の警報システムは、警戒区域となる大空間施設のフロア６０における天井側となる設置面に、縦及び横方向（図示の上下左右方向）に複数の光警報器１２を配置しており、この例では縦方向（図示の上下方向）に１２台、横方向（図示の左右方向）に１０台の合計１２０台を設置している。フロア６０の左右の略中央には非常口２４を設置し、フロア６０の上下の略中央には消防機器２３を設置している。光警報制御装置１０からは、図示のフロア横方向に配列した１２台の光警報器１２毎に伝送路１４を１回線ずつ引き出して接続している。
【００７６】
光警報制御装置１０は、Ｒ型火災受信機１６ａから火災場所を示す伝送路番号と感知器
アドレスを含む火災移報信号を受信すると、火災場所を含む火災エリアに存在する光警報器１２に赤色発光を設定し、非常口２４を含む安全エリアに存在する光警報器１２に緑色発光を設定し、消防機器２３を含む消防機器設置エリアに存在する光警報器１２に青色発光を設定し、続いて、発光周期Ｔｆで発光同期信号を送信することで、火災エリアの光警報器１２を赤色発光により同期発光し、安全エリアの光警報器１２を緑色発光により同期発光し、消防機器設置エリアの光警報器１２を青色発光により同期発光し、それ以外の光警報器１２は白色発光により同期発光する制御を行う。
【００７７】
ここで、フロア６０に配置した光警報器１２の位置は、図７に示すように、縦方向の伝送路１４の番号Ｌ＝１〜１０と横方向の光警報器アドレスＡ＝１〜１２を組み合わせた２次元アドレス（Ｌ，Ａ）で定まる。なお、以下の説明では、２次元アドレスを単にアドレスとする。
【００７８】
ここで、火災受信機１６からの火災移報信号の伝送路番号と感知器アドレスから、図７に示すように、アドレス（４，３）が火災場所２５の光警報器であることを判別すると、例えば図８に示すアドレス計算テーブル５０ｂを使用し、アドレス計算処理５２ｂにより、火災エリア６２に入る光警報器のアドレスを求める。アドレス計算テーブル５０ｂは、図７の火災場所２５を中心に菱形となる火災エリア６２を形成するようにアドレス計算式を設定している。なお、火災エリアは菱形に限定されず、矩形、円形、楕円形等の適宜の形状とすることができ、エリアの広さも適宜に設定できる。
【００７９】
また、フロア６０の両側の非常口２４の光警報器はアドレス（６，１）、（６，１２）となり、この場合にも図８のアドレス計算テーブル５０ｂを使用してアドレスを求め、これにより図７に示すように、両側の非常口２４の光警報器はアドレス（６，１）、（６，１２）を中心とした菱形の左右半分となる安全エリア６３を形成する。
【００８０】
また、フロア６０上下に示す消防機器２３に近い光警報器１２はアドレス（１，７）、（１０，７）となり、この場合にも図８のアドレス計算テーブル５０ｂを使用してアドレスを求め、これにより図７に示すように、両側の非常口２４の光警報器はアドレス（１，７）、（１０，７）を中心とした菱形の上下半分となる消防機器設置エリア６４を形成する。
【００８１】
ここで、左側の非常口２４の安全エリア６３は火災エリア６２と一部が重なっているが、本実施形態では、火災エリア６２を優先することで、重複した位置の光警報器には赤色発光を設定する。
【００８２】
また非常口２４に対応した安全エリア６３に入る光警報器については、システム立上げ段階で緑色発光に初期設定しておき、火災エリアと重複した場合に光警報制御装置１０から赤色発光の発光色設定電文を送信して赤色発光に切替えるようにしても良い。
【００８３】
また、消防機器設置エリア６４が火災エリア６２と一部が重なった場合には、本実施形態では、火災エリア６２を優先することで、重複した位置の光警報器には赤色発光を設定する。この場合にも、消防機器設置エリア６３に入る光警報器については、システム立上げ段階で青色発光に初期設定しておき、火災エリアと重複した場合に光警報制御装置１０から赤色発光の発光色設定電文を送信して赤色発光に切替えるようにしても良い。
【００８４】
更に、安全エリア６３と消防機器設置エリア６４で一部が重なった場合には、予め設定した優先度に基づき、何れか一方の発光色を優先して、重複した位置の光警報器には優先度の高い発光色を設定する。
【００８５】
更に、火災エリア６２，安全エリア６３及び消防機器設定エリア６４に対し必要に応じて所定の優先度を予め設定し、エリアが重複した位置の光警報器については、優先度に従った発光色を設定するようにしても良い。
【００８６】
（発光制御）
図９は図６の光警報制御装置による制御動作を示したフローチャートである。図９に示すように、光警報制御装置１０は、ステップＳ１１でＲ型火災受信機１６ａから火災を検出した伝送路番号と感知器アドレスを含む火災移報信号を受信すると、ステップＳ１２に進んで予め準備したアドレス変換テーブルを使用し、伝送路番号と感知器アドレスを火災場所の光警報器１２を示す２次元アドレスである光警報器（Ｌ，Ａ）に変換し、ステップＳ１３で火災場所の光警報器アドレス（Ｌ，Ａ）を図８に示したアドレス計算テーブル５０ｂに代入して、その周辺に位置する光警報器１２を示す火災エリアのアドレスを生成する。
【００８７】
続いてステップＳ１４に進み、予め記憶している安全エリアのアドレステーブルから非常口およびその周囲の光警報器を示す安全エリアのアドレス（２次元アドレス）を読出して生成し、次にステップＳ１５に進み、予め記憶している消防機器設置エリアのアドレステーブルから消防機器およびその周囲の光警報器を示す消防機器設置エリアのアドレス（２次元アドレス）を読出して生成する。
【００８８】
続いて、ステップＳ１６で火災エリアの２次元アドレスを指定（伝送路とアドレスの指定）した赤色発光の発光色設定電文、安全エリアの２次元アドレスを指定した緑色発光の発光色設定電文、及び消防機器設置エリアの２次元アドレスを指定した青色発光の発光色設定電文を生成してそれぞれ送信する。ここで、火災エリアのアドレスと安全エリア又は消防機器設置エリアのアドレスが重複した場合は、火災エリア優先であることから、赤色発光の発光色設定電文を送信する。
【００８９】
続いて、ステップＳ１７で発光周期Ｔｆ毎に発光同期信号を送信し、火災エリアの光警報器を赤色発光により同期発光し、安全エリアの光警報器を緑色発光により同期発光し、消防機器設置エリアの光警報器を青色発光により同期発光し、さらに、それ以外の光警報器１２は白色発光により同期発光とする。続いてステップＳ１８で火災復旧を監視しており、火災復旧を判別するとステップＳ１９に進んで同期発光信号の送信を停止する。
【００９０】
［Ｐ型火災報知設備と連携した警報システム］
図１０はＰ型火災報知設備に連携して避難経路に配置した光警報器の発光色を制御する警報システムの概略を示した説明図である。
【００９１】
図１０に示すように、本実施形態の警報システムはＰ型火災報知設備と連携しており、Ｐ型火災受信機１６ｂから警戒区域毎に分けて引き出した感知器回線２０ｂに、移報回路を備えた感知器ベース１５を介して火災感知器１８ｂを接続している。なお、図１０は１つの警戒区域に引き出した感知器回線２０ｂに火災感知器１８ｂを接続した場合を代表して示している。
【００９２】
Ｐ型火災受信機１６ｂは火災感知器１８ｂで火災を検知した場合に感知器回線２０ｂに流す発報電流による火災信号を受信して火災警報を出力すると共に、感知器回線２０ｂに対応した火災が発生した警戒区域を示す地区表示を行う。
【００９３】
Ｐ型火災受信機１６ｂに対しては感知器回線２０ｂに対応して設けた移報回線１１を介して光警報制御装置１０を接続し、光警報制御装置１０から警戒区域に対応して引き出した伝送路１４に、警戒区域の避難経路またはフロアに配置した複数の光警報器１２を接続
している。なお、図１は１回線の伝送路１４に光警報器１２を接続した場合を代表して示している。
【００９４】
また、光警報器１２は近傍に配置した火災感知器１８ｂの感知器ベース１５から引き出した移報回線２１を接続しており、火災感知器１８ｂが火災を検知して感知器回線２０ｂに発報電流を流すと、この発報電流により感知器ベース１５に設けた移報回路が動作し、火災移報信号を移報回線２１で接続した光警報器１２に出力する。火災感知器１８ｂ側から火災移報信号を受信した光警報器１２は、自己アドレスを含む火災場所通知電文を生成し、伝送路１４を介して光警報制御装置１０に送信する。
【００９５】
光警報制御装置１０は、Ｐ型火災受信機１６ｂから火災を検出した警戒区域に対応した火災移報信号を受信した場合、伝送路１４を介して光警報器１２から火災場所通知電文を受信しており、これにより火災場所の光警報器１２を判別し、火災場所の光警報器１２及びその周辺の光警報器１２を、火災の危険性を示す第１発光色なる例えば赤色で同期発光し、避難経路が向かう非常口の近傍に配置した予め定めた非常口の光警報器１２を判別し、非常口の光警報器１２及びその周辺の予め定めた光警報器１２を、安全性を示す第２発光色となる例えば緑色で同期発光し、避難経路の所定位置に配置した消防機器の近くの光警報器１２及びその周辺の予め定めた光警報器１２を、消防機器設置場所を示す第３発光色となる例えば青色で同期発光し、それ以外の光警報器１２は白色で同期発光する。
【００９６】
［警報システムの機能構成］
図１１は図１０の火災受信機、火災感知器、光警報制御装置及び光警報器の機能構成を示したブロック図である。
【００９７】
（火災受信機）
図１１に示すように、Ｐ型火災受信機１６ｂは、制御部２６を備え、制御部２６に対し、複数の回線受信部２８ｂ、表示部３０、操作部３２、警報部３４及び移報部３６を設けている。
【００９８】
Ｐ型火災受信機１６ｂの制御部２６は、例えばプログラムの実行により実現される機能であり、ハードウェアとしてはＣＰＵ、メモリ、各種の入出力ポート等を備えたコンピュータ回路等を使用している。
【００９９】
Ｐ型火災受信機１６ｂの制御部２６は、回線受信部２８ｂの何れかにより火災感知器１８ｂの火災発報による火災信号を受信すると、警報部３４により火災警報を出力すると共に、表示部３０により火災が発生した警戒区域を示す地区表示を行い、更に、移報部３６から火災が発生した警戒区域を示す火災移報信号を光警報制御装置１０に出力する。
【０１００】
（火災感知器と感知器ベース）
火災感知器１８ｂは、天井面に固定した感知器ベース１５に着脱自在に設けており、感知器ベース１５を介してＰ型火災受信機１６ｂから引き出された感知器回線２０ｂを構成する感知器線Ｌとコモン線Ｃに接続している。
【０１０１】
感知器ベース１５の内部には移報リレー７２と移報リレー接点７４からなる移報回路を設けており、移報リレー７２は火災感知器１８ｂと感知器線Ｌを結ぶラインに挿入している。火災感知器１８ｂが火災発報して感知器線Ｌとコモン線Ｃの間に発報電流が流れると、この発報電流により感知器ベース１５内の移報リレー７２が作動して移報リレー接点７４を閉じ、移報回線２１により接続した光警報器１２に火災移報信号を出力する。なお、感知器ベース１５に設ける移報回路は、移報リレー以外に適宜の移報回路が含まれる。
【０１０２】
（光警報制御装置）
光警報制御装置１０は、制御部３８、移報受信部４０及び伝送部４２を備え、火災受信機１６からの電源又は専用電源で動作し、その機能は図２の実施形態と同じになる。
【０１０３】
（光警報器）
光警報器１２は、制御部４４、伝送部４６、発光部４８及び移報受信部７０を備え、伝送路１４から電源供給を受けて動作する。移報受信部７０は、移報回線２１で接続した火災感知器１８ｂの感知器ベース１５から火災移報信号を受信して制御部４４に出力する。
【０１０４】
光警報器１２の制御部４４は、移報受信部７０による火災移報信号の受信を検出すると、火災場所を示す自己アドレスを含む火災場所通知電文を生成し、伝送部４６に指示して光警報制御装置１０に送信させる制御を行う。
【０１０５】
これ以外の光警報制御装置１０の構成及び機能は図２の実施形態と同じになる。
【０１０６】
［無線式のＰ型火災報知設備と連携した警報システム］
図１２は無線式Ｐ型火災報知設備に連携して避難経路に配置した光警報器の発光色を制御する警報システムの概略を示した説明図である。
【０１０７】
図１２に示すように、本実施形態の警報システムは無線式のＰ型火災報知設備と連携しており、Ｐ型火災受信機１６ｂから警戒区域に分けて引き出した感知器回線に、警戒区域毎に設けた受信用中継器８０を接続する。受信用中継器８０に対しては、対応する警戒区域に無線式火災感知器１８ｃを配置している。
【０１０８】
無線式火災感知器１８ｃは火災を検出するとアドレスを含む火災電文を無線送信する。無線式感知器１８ｃから送信された火災電文は、同じ警戒区域に設置している受信用中継器８０で受信され、Ｐ型火災受信機１６ｂから引き出された感知器回線に発報電流を流して火災信号を送信する。
【０１０９】
Ｐ型火災受信機１６ｂは受信用中継器８０からの火災信号の受信を検出した場合に、火災警報を出力すると共に、火災信号を出力した受信用中継器８０に対応した警戒区域で火災が発生したことを示す地区表示を行う。
【０１１０】
Ｐ型火災受信機１６ｂに対しては受信用中継器８０に対応して設けた移報回線１１を介して光警報制御装置１０を接続し、光警報制御装置１０から引き出した伝送路１４に警戒区域の避難経路またはフロアに配置した複数の光警報器１２を接続している。
【０１１１】
光警報器１２は無線式火災感知器１８ｃが無線送信した火災電文を受信する通信機能を備えており、火災電文の受信強度が所定値以上の場合、近傍に配置した無線式火災感知器１８ｃより検出した火災場所と判断し、自己アドレスを含む火災場所通知電文を生成し、伝送路１４を介して光警報制御装置１０に送信する。
【０１１２】
光警報制御装置１０はＰ型火災受信機１６ｂから火災を検出した警戒区域に対応した火災移報信号を受信した場合、伝送路１４を介して火災を検知したと同じ警戒区域に設置している光警報器１２から火災場所通知電文を受信しており、これにより火災場所の光警報器１２を判別し、火災場所の光警報器１２及びその周辺の光警報器１２を、火災の危険性を示す赤色で同期発光し、非常口の近傍に配置した予め定めた非常口の光警報器１２を判別し、非常口の光警報器１２及びその周辺の予め定めた光警報器１２を、安全性を示す緑色で同期発光し、避難経路の所定位置に配置した消防機器の近くの光警報器１２及びその周辺の予め定めた光警報器１２を、消防機器設置場所を示す第３発光色となる例えば青色
で同期発光し、それ以外の光警報器１２は白色で同期発光する。
【０１１３】
（警報システムの機能構成）
図１３は図１２の火災受信機、受信用中継器、無線式火災感知器、光警報制御装置及び光警報器の機能構成を示したブロック図である。
【０１１４】
図１３に示すように、Ｐ型火災受信機１６ｂは、制御部２６を備え、制御部２６に対し、複数の回線受信部２８ｂ、表示部３０、操作部３２、警報部３４及び移報部３６を設けており、図１１の実施形態と基本的に同じになる。
【０１１５】
無線式火災感知器１８ｃは、火災による熱または煙を検出した場合に自己アドレスを含む火災電文を無線送信する。
【０１１６】
受信用中継器８０は、制御部８２、アンテナ８５を接続した通信部８４及び回線送信部８６を備え、Ｐ型火災受信機１６ｂからの電源又は専用電源で動作する。受信用中継器８０の制御部８２は、例えばプログラムの実行により実現される機能であり、ハードウェアとしてはＣＰＵ、メモリ、各種の入出力ポート等を備えたコンピュータ回路等を使用する。
【０１１７】
受信用中継器８０の制御部８２は、自己に割り当てられた無線式火災感知器１８ｃのアドレスを予め登録しており、登録アドレスに一致する感知器アドレスの火災電文を有効な電文として受信し、Ｐ型火災受信機１６ｂから引き出された感知器回線に発報電流を流すことで、火災信号をＰ型火災受信機１６ｂに送信する。
【０１１８】
ここで、受信用中継器８０の通信部８４と無線式火災感知器１８ｃとの間の無線通信は、日本国内の場合には例えば４００ＭＨｚ帯の特定小電力無線局の標準規格に従った無線通信を行っている。
【０１１９】
光警報器１２は、制御部４４、伝送部４６、発光部４８及びアンテナ９２を接続した通信部９０を備える。光警報器１２の制御部４４は、通信部９０から入力した受信強度検出信号が所定値以上の場合、近傍に配置した無線式火災感知器１８ｃにより検出された火災場所と判断し、自己アドレスを含む火災場所通知電文を生成し、伝送部４６に指示して光警報制御装置１０に送信させる制御を行う。
【０１２０】
これ以外の光警報器１２の制御部４４、伝送部４６、発光部４８の機能は図２の実施形態と基本的に同じになる。
【０１２１】
［本発明の変形例］
（発光色）
上記の実施形態は、火災の危険性を示す第１発光色を赤色としているが、これ以外に橙色（オレンジ色）等を含む暖色系の発光色としても良い。また、上記の実施形態は、非常口等の安全性を示す第２発光色を中間色系の緑色とし、消防機器の設置場所を示す第３発光色を寒色系の青色としているが、これ以外に中間色系又は寒色系の適宜の発光色としても良い。
【０１２２】
（発光エリア）
上記の実施形態は、非常口の近辺を安全エリアに設定して光警報器を緑色発光し、消火栓等の消防機器を設置場所とその近辺を消防機器設置とエリアに設定して光警報器を青色発光しているが、これ以下のエリアについても、適宜の発光色を設定して識別表示可能としても良い。
【０１２３】
（光警報制御装置）
上記の実施形態は、火災受信機の外部に光警報制御装置を設けているが、火災受信機に光警報制御装置としての機能を内蔵させても良い。
【０１２４】
（その他）
また、本発明はその目的と利点を損なうことのない適宜の変形を含み、更に上記の実施形態に示した数値による限定は受けない。
【符号の説明】
【０１２５】
１０：光警報制御装置
１１，２１：移報回線
１２：光警報器
１４，２０ａ：伝送路
１５：感知器ベース
１６ａ：Ｒ型火災受信機
１６ｂ：Ｐ型火災受信機
１８ａ，１８ｂ：火災感知器
１８ｃ：無線式火災感知器
２０ｂ：感知器回線
２２：避難経路
２３：消防機器
２４：非常口
２６，３８，４４，８２：制御部
２８ａ，４２，４６：伝送部
２８ｂ：回線受信部
３６：移報部
４０，７０：移報受信部
４８：発光部
５０ａ，５０ｂ：アドレス計算テーブル
６０：フロア
６２：火災エリア
６３：安全エリア
６４：消防機器設置エリア
７２：移報リレー
７４：移報リレー接点
８０：受信用中継器
８４，９０：通信部
８６：回線送信部
【図１】
2019200809.tif 000003
【図２】
2019200809.tif 000004
【図３】
2019200809.tif 000005
【図４】
2019200809.tif 000006
【図５】
2019200809.tif 000007
【図６】
2019200809.tif 000008
【図７】
2019200809.tif 000009
【図８】
2019200809.tif 000010
【図９】
2019200809.tif 000011
【図１０】
2019200809.tif 000012
【図１１】
2019200809.tif 000013
【図１２】
2019200809.tif 000014
【図１３】
2019200809.tif 000015
【手続補正書】
【提出日】令和1年8月8日(2019.8.8)
【手続補正１】
【補正対象書類名】特許請求の範囲
【補正対象項目名】全文
【補正方法】変更
【補正の内容】
【特許請求の範囲】
【請求項１】
火災発生時に複数の光警報器を所定の発光周期で同期発光させて火災発生を報知する警報システムによる火災場所の報知方法であって、
火災発生時に、火災を検出した火災感知器の近傍に配置した光警報器については、前記同期発光とは異なる火災場所を示す所定の発光色により前記同期発光と異なるタイミングで発光させることを特徴とする火災場所の報知方法。
【請求項２】
火災発生時に複数の光警報器を所定の発光周期で同期発光させて火災発生を報知する警報システムによる火災場所の報知方法であって、
前記光警報器が、個別に接続された火災感知器から火災を検出した際に出力される火災移報信号を受信した場合に、光警報制御装置に火災場所を通知し、
前記光警報制御装置が、前記光警報器からの火災場所の通知を受信した場合に、当該光警報器については、前記同期発光とは異なる火災場所を示す所定の発光色で発光させることを特徴とする火災場所の報知方法。
【請求項３】
火災発生時に複数の光警報器を所定の発光周期で同期発光させて火災発生を報知する警報システムによる火災場所の報知方法であって、
前記光警報器が、無線式火災感知器から受信した火災電文の受信強度が所定値以上の場合に、光警報制御装置に火災場所を通知し、
前記光警報制御装置が、前記光警報器からの火災場所の通知を受信した場合に、当該光警報器については、前記同期発光とは異なる火災場所を示す所定の発光色で発光させることを特徴とする火災場所の報知方法。
【請求項４】
火災発生時に複数の光警報器を所定の発光周期で同期発光させて火災発生を報知する警報システムによる避難場所の報知方法であって、
火災発生時に、避難場所の光警報器については、前記同期発光とは異なる避難場所を示す所定の発光色により前記同期発光と異なるタイミングで発光させることを特徴とする避難場所の報知方法。
【請求項５】
火災発生時に複数の光警報器を所定の発光周期で同期発光させて火災発生を報知する警報システムによる避難場所の報知方法であって、
前記光警報器が、個別に接続された火災感知器から火災を検出した際に出力される火災移報信号を受信した場合に、光警報制御装置に火災場所を通知し、
前記光警報制御装置が、前記光警報器からの火災場所の通知を受信した場合に、避難場所の光警報器については、前記同期発光とは異なる避難場所を示す所定の発光色で発光させることを特徴とする避難場所の報知方法。
【請求項６】
火災発生時に複数の光警報器を所定の発光周期で同期発光させて火災発生を報知する警報システムによる避難場所の報知方法であって、
前記光警報器が、無線式火災感知器から受信した火災電文の受信強度が所定値以上の場合、光警報制御装置に火災場所を通知し、
前記光警報制御装置が、前記光警報器からの火災場所の通知を受信した場合に、避難場所の光警報器については、前記同期発光とは異なる避難場所を示す所定の発光色で発光させることを特徴とする避難場所の報知方法。
【請求項７】
火災発生時に複数の光警報器を所定の発光周期で同期発光させて火災発生を報知する警報システムによる消防機器設置場所の報知方法であって、
火災発生時に、消防機器設置場所の光警報器については、前記同期発光とは異なる消防機器設置場所を示す所定の発光色により前記同期発光と異なるタイミングで発光させることを特徴とする消防機器設置場所の報知方法。
【請求項８】
火災発生時に複数の光警報器を所定の発光周期で同期発光させて火災発生を報知する警報システムによる消防機器設置場所の報知方法であって、
前記光警報器が、個別に接続された火災感知器から火災を検出した際に出力される火災移報信号を受信した場合に、光警報制御装置に火災場所を通知し、
前記光警報制御装置が、前記光警報器からの火災場所の通知を受信した場合に、消防機器設置場所の光警報器については、前記同期発光とは異なる消防機器設置場所を示す所定の発光色で発光させることを特徴とする消防機器設置場所の報知方法。
【請求項９】
火災発生時に複数の光警報器を所定の発光周期で同期発光させて火災発生を報知する警報システムによる消防機器設置場所の報知方法であって、
前記光警報器が、無線式火災感知器から受信した火災電文の受信強度が所定値以上の場合に、光警報制御装置に火災場所を通知し、
前記光警報制御装置が、前記光警報器からの火災場所の通知を受信した場合に、消防機器設置場所の光警報器については、前記同期発光とは異なる消防機器設置場所を示す所定の発光色で発光させることを特徴とする消防機器設置場所の報知方法。
【請求項１０】
火災発生時に複数の光警報器を所定の発光周期で同期発光させて火災発生を報知する警報システムによる火災関連場所の報知方法であって、
火災発生時に、火災場所の光警報器、避難場所の光警報器及び消防器設置場所の光警報器の少なくとも何れかを判別し、前記判別した光警報器については、前記同期発光とは異なる前記判別した場所を示す所定の発光色により前記同期発光と異なるタイミングで発光させることを特徴とする火災関連場所の報知方法。
【請求項１１】
火災発生時に複数の光警報器を所定の発光周期で同期発光させて火災発生を報知する警報システムによる火災関連場所の報知方法であって、
火災発生時に、火災場所の光警報器、避難場所の光警報器及び消防機器設置場所の光警報器の少なくとも何れかを判別し、前記判別した光警報器については前記同期発光とは異なる前記判別した場所を示す所定の発光色で発光させ、
前記避難場所の光警報器と、前記火災場所の光警報器及び前記消防機器設置場所の光警報器の少なくとも何れか一方が重複した場合、前記避難場所の光警報器を、避難場所を示す所定の発光色で発光させることを特徴とする火災関連場所の報知方法。
【請求項１２】
火災発生時に複数の光警報器を所定の発光周期で同期発光させて火災発生を報知する警報システムによる火災関連場所の報知方法であって、
火災発生時に、火災場所の光警報器、避難場所の光警報器及び消防機器設置場所の光警報器の少なくとも何れかを判別し、前記判別した光警報器については前記同期発光とは異なる前記判別した場所を示す所定の発光色で発光させ、
前記消防機器設置場所の光警報器と、前記火災場所の光警報器及び前記避難場所の光警報器の少なくとも何れか一方が重複した場合、前記消防機器設置場所の光警報器を、消防機器設置場所を示す所定の発光色で発光させることを特徴とする火災関連場所の報知方法。
【請求項１３】
火災発生時に複数の光警報器を所定の発光周期で同期発光させて火災発生を報知する警報システムによる火災関連場所の報知方法であって、
前記光警報器が、個別に接続された火災感知器から火災を検出した際に出力される火災移報信号を受信した場合に、光警報制御装置に火災場所を通知し、
前記光警報制御装置が、前記光警報器からの火災場所の通知を受信した場合に、当該光警報器、避難場所の光警報器及び消防機器設置場所の光警報器の少なくとも何れかを判別し、前記判別した光警報器については前記同期発光とは異なる前記判別した場所を示す所定の発光色で発光させることを特徴とする火災関連場所の報知方法。
【請求項１４】
火災発生時に複数の光警報器を所定の発光周期で同期発光させて火災発生を報知する警報システムによる火災関連場所の報知方法であって、
前記光警報器が、無線式火災感知器から受信した火災電文の受信強度が所定値以上の場合に、光警報制御装置に火災場所を通知し、
前記光警報制御装置が、前記光警報器からの火災場所の通知を受信した場合に、当該光警報器、避難場所の光警報器及び消防機器設置場所の光警報器の少なくとも何れかを判別し、前記判別した光警報器については前記同期発光とは異なる前記判別した場所を示す所定の発光色で発光させることを特徴とする火災関連場所の報知方法。
【請求項１５】
火災発生時に複数の光警報器に所定の発光表示を行わせて火災発生を報知する警報システムによる避難方向の報知方法であって、
火災発生時に、火災を検出した火災感知器の近傍に配置した火災場所の光警報器と他の光警報器とで前記所定の発光表示の形態を異ならせて、火災場所から遠ざかる避難方向を視認可能としたことを特徴とする避難方向の報知方法。
【手続補正２】
【補正対象書類名】明細書
【補正対象項目名】全文
【補正方法】変更
【補正の内容】
【発明の詳細な説明】
【技術分野】
【０００１】
本発明は、火災時に複数の光警報器を同期発光により点滅して火災の発生を報知する警報システムによる火災場所、避難場所、消防機器設置場所、火災関連場所及び避難方向の報知方法に関する。
【背景技術】
【０００２】
従来、オフィスビル、店舗ビル、病院、ホテル等の建物には、火災を監視し、火災が発生した場合に、建物内の人々に異常の発生を報知するための警報システムとして、自動火災報知システムが設置されている。このような自動火災報知システムにおいては、火災発生の報知はブザー、ベル、メッセージ等の音響により行なわれるのが一般的である。また、この音響による報知と共に、ＬＥＤや赤色ランプ等を用いた表示報知も適宜行われる。
【０００３】
ところで、近年、火災発生を音響とともに視認性の高い高光度の白色光（フラッシュ光）を点滅することにより火災の発生を報知する警報システムも提案されている（例えば、特許文献１乃至３参照）。このような警報システムによれば、音響だけでなく強い光の点
滅により火災発生を報知するため、例えば聴覚不自由者にも、災害の発生を早期に、且つ確実に認識させることができる。また、配線による手間とコストを低減するため、無線式の警報システムも提案されている（例えば特許文献４参照）。
【０００４】
このように光警報を行う警報システムは、火災発生時に、火災受信機側の光警報制御装置から所定周期毎に同期信号を光警報器に送信し、同期信号を受信した光警報器は所定周期で発光を繰り返す同期発光を行い、バラバラのタイミングで発光することにより眩惑を起こす光過敏性発作の問題を解消可能とする。
【先行技術文献】
【特許文献】
【０００５】
【特許文献１】実用新案登録第３１１３９４６号公報
【特許文献２】特開２００５−１６５７４０号公報
【特許文献３】特開２０１１−１９８１９４号公報
【特許文献４】特開２０１４−１８６４３０号公報
【特許文献５】特開２０１３−１０９３８８号公報
【特許文献６】特開２０１１−１５４７０６号公報
【特許文献７】特開２０１１−７６１９９号公報
【発明の概要】
【発明が解決しようとする課題】
【０００６】
しかしながら、光警報を行う従来の警報システムにあっては、警戒区域の例えば避難経路に沿って設置した複数の光警報器を高光度の白色光により同期発光しており、同期発光による光警報からは、火災場所に近く危険な場所であるか、また、非常口に近い安全な場所であるかは同期発光からは分からず、周囲の状況や非常口を示す標識を見て行動せざるを得ず、迅速且つ適切な避難行動をとることができない可能性が残る。
【０００７】
また、避難経路の途中には消火用水、消火栓、消火器等の消防機器を設置している場所もあるが、そのような場所は相当な注意を払っていないとわからず、初期消火等が適切に行えない可能性がある。
【０００８】
本発明は、同期発光の制御により危険な場所か安全な場所か、更には消防機器の設置場所等を、直感的に判断して迅速且つ適切な対処行動を可能とする、火災場所、避難場所、消防機器設置場所、火災関連場所及び避難方向の報知方法を提供することを目的とする。
【課題を解決するための手段】
【０００９】
（火災場所の報知方法）
本発明は、火災発生時に複数の光警報器を所定の発光周期で同期発光させて火災発生を報知する警報システムによる火災場所の報知方法であって、
光警報器が、個別に接続された火災感知器から火災を検出した際に出力される火災移報信号を受信した場合に、光警報制御装置に火災場所を通知し、
光警報制御装置が、光警報器からの火災場所の通知を受信した場合に、当該光警報器については、同期発光とは異なる火災場所を示す所定の発光色で発光させることを特徴とする。
【００１０】
また本発明は、火災発生時に複数の光警報器を所定の発光周期で同期発光させて火災発生を報知する警報システムによる火災場所の報知方法であって、
光警報器が、個別に接続された火災感知器から火災を検出した際に出力される火災移報信号を受信した場合に、光警報制御装置に火災場所を通知し、
光警報制御装置が、光警報器からの火災場所の通知を受信した場合に、当該光警報器については、同期発光とは異なる火災場所を示す所定の発光色で発光させることを特徴とする。
【００１１】
また本発明は、火災発生時に複数の光警報器を所定の発光周期で同期発光させて火災発生を報知する警報システムによる火災場所の報知方法であって、
光警報器が、無線式火災感知器から受信した火災電文の受信強度が所定値以上の場合に、光警報制御装置に火災場所を通知し、
光警報制御装置が、光警報器からの火災場所の通知を受信した場合に、当該光警報器については、同期発光とは異なる火災場所を示す所定の発光色で発光させることを特徴とする。
【００１２】
（避難場所の報知方法）
本発明は、火災発生時に複数の光警報器を所定の発光周期で同期発光させて火災発生を報知する警報システムによる避難場所の報知方法であって、
火災発生時に、避難場所の光警報器については、同期発光とは異なる避難場所を示す所定の発光色により同期発光と異なるタイミングで発光させることを特徴とする。
【００１３】
また本発明は、火災発生時に複数の光警報器を所定の発光周期で同期発光させて火災発生を報知する警報システムによる避難場所の報知方法であって、
光警報器が、個別に接続された火災感知器から火災を検出した際に出力される火災移報信号を受信した場合に、光警報制御装置に火災場所を通知し、
光警報制御装置が、光警報器からの火災場所の通知を受信した場合に、避難場所の光警報器については、同期発光とは異なる避難場所を示す所定の発光色で発光させることを特徴とする。
【００１４】
また本発明は、火災発生時に複数の光警報器を所定の発光周期で同期発光させて火災発生を報知する警報システムによる避難場所の報知方法であって、
光警報器が、無線式火災感知器から受信した火災電文の受信強度が所定値以上の場合、光警報制御装置に火災場所を通知し、
光警報制御装置が、光警報器からの火災場所の通知を受信した場合に、避難場所の光警報器については、同期発光とは異なる避難場所を示す所定の発光色で発光させることを特徴とする。
【００１５】
（消防機器設置場所の報知方法）
本発明は、火災発生時に複数の光警報器を所定の発光周期で同期発光させて火災発生を報知する警報システムによる消防機器設置場所の報知方法であって、
火災発生時に、消防機器設置場所の光警報器については、同期発光とは異なる消防機器設置場所を示す所定の発光色により同期発光と異なるタイミングで発光させることを特徴とする。
【００１６】
また本発明は、火災発生時に複数の光警報器を所定の発光周期で同期発光させて火災発生を報知する警報システムによる消防機器設置場所の報知方法であって、
光警報器が、個別に接続された火災感知器から火災を検出した際に出力される火災移報信号を受信した場合に、光警報制御装置に火災場所を通知し、
光警報制御装置が、光警報器からの火災場所の通知を受信した場合に、消防機器設置場所の光警報器については、同期発光とは異なる消防機器設置場所を示す所定の発光色で発光させることを特徴とする。
【００１７】
また本発明は、火災発生時に複数の光警報器を所定の発光周期で同期発光させて火災発生を報知するする警報システムによる消防機器設置場所の報知方法であって、
光警報器が、無線式火災感知器から受信した火災電文の受信強度が所定値以上の場合に、光警報制御装置に火災場所を通知し、
光警報制御装置が、光警報器からの火災場所の通知を受信した場合に、消防機器設置場所の光警報器については、同期発光とは異なる消防機器設置場所を示す所定の発光色で発光させることを特徴とする。
【００１８】
（火災関連場所の報知方法）
本発明は、火災発生時に複数の光警報器を所定の発光周期で同期発光させて火災発生を報知する警報システムによる火災関連場所の報知方法であって、
火災発生時に、火災場所の光警報器、避難場所の光警報器及び消防器設置場所の光警報器の少なくとも何れかを判別し、判別した光警報器については、同期発光とは異なる判別した場所を示す所定の発光色により同期発光と異なるタイミングで発光させることを特徴とする。
【００１９】
また本発明は、火災発生時に複数の光警報器を所定の発光周期で同期発光させて火災発生を報知する警報システムによる火災関連場所の報知方法であって、
火災発生時に、火災場所の光警報器、避難場所の光警報器及び消防機器設置場所の光警報器の少なくとも何れかを判別し、判別した光警報器については同期発光とは異なる判別した場所を示す所定の発光色で発光させ、
避難場所の光警報器と、火災場所の光警報器及び消防機器設置場所の光警報器の少なくとも何れか一方が重複した場合、避難場所の光警報器を、避難場所を示す所定の発光色で発光させることを特徴とする。
【００２０】
また本発明は、火災発生時に複数の光警報器を所定の発光周期で同期発光させて火災発生を報知する警報システムによる火災関連場所の報知方法であって、
火災発生時に、火災場所の光警報器、避難場所の光警報器及び消防機器設置場所の光警報器の少なくとも何れかを判別し、判別した光警報器については同期発光とは異なる判別した場所を示す所定の発光色で発光させ、
消防機器設置場所の光警報器と、火災場所の光警報器及び避難場所の光警報器の少なくとも何れか一方が重複した場合、消防機器設置場所の光警報器を、消防機器設置場所を示す所定の発光色で発光させることを特徴とする。
【００２１】
また本発明は、火災発生時に複数の光警報器を所定の発光周期で同期発光させて火災発生を報知する警報システムによる火災関連場所の報知方法であって、
光警報器が、個別に接続された火災感知器から火災を検出した際に出力される火災移報信号を受信した場合に、光警報制御装置に火災場所を通知し、
光警報制御装置が、光警報器からの火災場所の通知を受信した場合に、当該光警報器、避難場所の光警報器及び消防機器設置場所の光警報器の少なくとも何れかを判別し、判別した光警報器については同期発光とは異なる前記判別した場所を示す所定の発光色で発光させることを特徴とする。
【００２２】
また本発明は、火災発生時に複数の光警報器を所定の発光周期で同期発光させて火災発生を報知する警報システムによる火災関連場所の報知方法であって、
光警報器が、無線式火災感知器から受信した火災電文の受信強度が所定値以上の場合に、光警報制御装置に火災場所を通知し、
光警報制御装置が、光警報器からの火災場所の通知を受信した場合に、当該光警報器、避難場所の光警報器及び消防機器設置場所の光警報器の少なくとも何れかを判別し、判別した光警報器については同期発光とは異なる判別した場所を示す所定の発光色で発光させることを特徴とする。
【００２３】
（避難方向の報知方法）
火災発生時に複数の光警報器に所定の発光表示を行わせて火災発生を報知する警報システムによる避難方向の報知方法であって、
火災発生時に、火災を検出した火災感知器の近傍に配置した火災場所の光警報器と他の光警報器とで所定の発光表示の形態を異ならせて、火災場所から遠ざかる避難方向を視認可能としたことを特徴とする。
【発明の効果】
【００２４】
（火災場所の第１発光色による発光の効果）
第１発明は、警戒区域に設置した火災感知器からの火災信号を受信機で受信して警報する火災報知設備と、警戒区域に配置した複数の光警報器と、火災時に複数の光警報器を所定の発光周期で同期発光するように制御する光警報制御装置とを備えた警報システムに於いて、光警報制御装置は、火災感知器で火災を検出した場合に、当該火災を検出した火災感知器の近傍に設置した火災場所の光警報器を判別し、火災場所の光警報器及びその周辺の光警報器を、所定の発光色で発光させ、火災場所の光警報器は、所定の発光色を、赤色または橙色を含む暖色系の発光色とするようにしたため、例えば避難経路に沿って配置した光警報器や大空間のフロアに配置した光警報器につき、火災を検出した場合に一斉に高輝度の白色光で点滅する同期発光を行うと共に、火災場所に近い光警報器は危険性を示す赤色または橙色を含む暖色系の発光色で同期発光することで、直感的に火災の危険性を判断し、火災場所から遠ざかる方向に避難することができる。
【００２５】
（非常口の第２発光色による発光の効果）
第２発明は、第１発明と同じ警報システムに於いて、光警報制御装置は、火災感知器で火災を検出した場合に、警戒区域の非常口又は避難設備の近傍に配置した避難場所の光警報器を判別し、避難場所の光警報器及びその周辺の光警報器を、所定の発光色で発光させ、避難場所の光警報器は、所定の発光色を、緑色を含む中間色系の発光色とするようにしたため、例えば避難経路に沿って配置した光警報器や大空間のフロアに配置した光警報器につき、火災を検出した場合に一斉に高輝度の白色光で点滅する同期発光を行うと共に、非常口や避難はしご等の避難場所に近い光警報器は安全性を示す緑色を含む中間色系の発光色で同期発光することで、直感的に安全性を判断してその方向に向かって安全且つ迅速に避難することを可能とする。
【００２６】
（消防機器の第３発光色による発光の効果）
第３発明は、第１発明と同じ警報システムに於いて、光警報制御装置は、火災感知器で火災を検出した場合に、警戒区域の消火用水、消火栓又は消火器を含む所定の消防機器の近傍に配置した消防機器設置場所の光警報器を判別し、消防機器設置場所の光警報器及びその周辺の光警報器を、所定の発光色で発光させ、消防機器設置場所の光警報器は、所定の発光色を、青色を含む寒色系の発光色とするようにしたため、例えば避難経路に沿って配置した光警報器や大空間のフロアに配置した光警報器につき、火災を検出した場合に一斉に高輝度の白色光で点滅する同期発光を行うと共に、消火用水、消火栓又は消火器を含む所定の消防機器の設置場所に近い光警報器はその設置場所を示す青色を含む寒色系の発光色で同期発光することで、直感的に消防機器の設置場所を判断して消火用水、消火栓又は消火器等による初期消火を可能とする。
【００２７】
（火災場所、非常口、消防機器設置場所の表示による効果）
第４発明は、第１発明と同じ警報システムに於いて、光警報制御装置は、火災感知器で火災を検出した場合に、当該火災を検出した火災感知器の近傍に設置した火災場所の光警報器、警戒区域の非常口又は避難設備の近傍に配置した避難場所の光警報器、及び警戒区域の消火用水、消火栓又は消火器を含む所定の消防機器の近傍に配置した消防機器設置場所の光警報器の少なくとも何れかを判別し、判別した光警報器及びその周辺の光警報器を、判別した場所を示す所定の発光色で発光させるようにしたため、前述した第１乃至第３発明による効果を合わせた効果が得られる。
【００２８】
（発光色による効果）
また、第４発明の光警報制御装置は、火災場所の光警報器及びその周辺の光警報器を所定の第１発光色で発光させ、避難場所の光警報器及びその周辺の光警報器を所定の第２発光色で発光させ、消防機器設置場所の光警報器及びその周辺の光警報器を所定の第３発光色で発光させ、火災場所を示す第１発光色を、赤色または橙色を含む暖色系の発光色とし、避難場所を示す第２発光色を、緑色を含む中間色系の発光色とし、消防機器設置場所を示す第３発光色を、青色を含む寒色系の発光色とするようにしたため、赤色または橙色を含む暖色系の第１発光色による同期発光で、火災による危険性を直感的に判断することを可能とし、また、緑を含む中間色系の発光色による同期発光で、非常口や避難はしご等の避難設備がある安全性の高い避難場所であることを直感的に判断し、更に、青を含む寒色系の発光色による同期発光で、消火栓や消火器等の消防機器の設置場所であることを直感的に判断することを可能とする。
【００２９】
（発光色制御のタイミングによる効果）
また、第１乃至第４発明の光警報器は、同期発光による発光色を前記所定の発光色とするか、前記同期発光と異なるタイミングによる発光色を前記所定の発光色とするようにしたため、同期発光による所定の発光色で火災場所、避難場所、又は消防機器設置場所の判断を可能とするか、或いは、同期発光の間の発光による発光色で火災場所、避難場所、又は消防機器設置場所の判断を可能とする。
【００３０】
（火災場所を優先して発光色制御する効果）
また、第４発明の光警報制御装置は、火災場所及びその周辺の光警報器に対し、避難場所及びその周辺の光警報器並びに消防機器設置場所及びその周辺の光警報器の少なくとも何れか一方が重複した場合、火災場所及びその周辺の光警報器の所定の発光色による発光を優先させることで、非常口や避難設備等の避難場所に近い場所で火災が発生した場合に、火災による危険な場所を避けて非常口等の避難場所に向かうといった適切な避難行動を可能とする。
【００３１】
（避難場所を優先して発光色制御する効果）
また、第４発明の光警報制御装置は、避難場所及びその周辺の光警報器に対し、火災場所及びその周辺の光警報器並びに消防機器設置場所及びその周辺の光警報器の少なくとも何れか一方が重複した場合、避難場所及びその周辺の光警報器の所定の発光色による発光を優先させることで、例えば非常口等の避難場所が火災場所に近くとも非常口を示す発光色による表示を優先して非常口からの避難を促すことを可能とする。
【００３２】
（消防機器設置場所を優先して発光色制御する効果）
また、第４発明の光警報制御装置は、消防機器設置場所及びその周辺の光警報器に対し、火災場所及びその周辺の光警報器並びに避難場所及びその周辺の光警報器の少なくとも
何れか一方が重複した場合、消防機器設置場所及びその周辺の光警報器の所定の発光色による発光を優先させることで、消火用水、消火栓、消火器等の消防機器の使用による迅速な初期消火を可能とする。
【００３３】
（優先度の設定による発光色制御の効果）
また、第４発明の光警報制御装置は、火災場所、避難場所及び消防機器設置場所の各々に対応した所定の発光色の優先度を予め設定し、火災場所及びその周辺の光警報器、避難場所及びその周辺の光警報器、並びに消防機器設置場所及びその周辺の光警報器の何れかが重複した場合、優先度の高い発光色による発光を優先させることで、火災場所、避難場所並びに消防機器設置場所が重複した場合に、必要に応じて設定した優先度に従って何れかの発光色による優先的な表示を可能とする。
【００３４】
（感知器アドレスによる火災場所の光警報器の判別による効果）
また、火災感知器は固有のアドレスを持ち、アドレスを含む火災信号を受信機に送信し、光警報制御装置は、受信機から火災を検出した火災感知器のアドレスを取得して、火災場所の光警報器を判別するようにしたため、例えば火災感知器に固有のアドレスを設定して火災感知器毎に火災を判断可能とした所謂Ｒ型の火災報知設備を利用して、確実に火災場所の光警報器を判別して、発光色による危険性と安全性の判断を可能とする。
【００３５】
（感知器ベースの移報回路による火災近辺の光警報器の判別による効果）
また、火災感知器は、感知器本体を着脱自在に装着する感知器ベースに移報回路を備え、移報回路から移報信号線を近傍に配置した前記光警報器に接続し、光警報器は火災感知器から接続した移報信号線により火災移報信号を受信した場合に、光警報制御装置に火災場所を通知し、光警報制御装置は、光警報器からの火災場所の通知を受信して、火災場所の光警報器を判別するようにしたため、火災感知器で火災を検知した場合に出力される火災移報信号を光警報器で直接受信することで、火災場所の光警報器を簡単且つ確実に判別し、発光色による危険性と安全性の判断を可能とする。
【００３６】
（無線式Ｐ型火災報知設備による火災場所の光警報器の判別による効果）
また、火災報知設備は、受信機から警戒区域に引き出された感知器回線に受信用中継器を接続し、受信用中継器に対応した警戒区域に設置した無線式火災感知器からの火災電文を、受信用中継器を介して感知器回線単位に前記受信機で受信して警報し、光警報器は、無線式火災感知器から受信した火災電文の受信強度が所定値以上の場合に火災場所を示す火災場所を光警報制御装置に通知し、光警報制御装置は、光警報器からの火災場所の通知を受信して、火災場所の光警報器を判別するようにしたため、火災感知器から無線送信した火災信号を光警報器で受信して所定値以上の受信強度の場合に火災場所と判断して光警報制御装置に通知して認識させることで、火災場所の光警報器を確実に判別し、発光色による危険性と安全性の判断を可能とする。
【００３７】
（地図情報による火災場所の光警報器の判別による効果）
また、光警報制御装置は、火災感知器で火災を検出した場合に、警戒区域のフロアマップ等の地図情報に基づいて火災場所の光警報器を判別するようにしたため、火災を検知した火災感知器に近い光警報器を正確に判別して、発光色による火災による危険性の判断を可能とする。
【００３８】
（避難経路の同期発光による効果）
また、光警報制御装置は非常口に向かう避難経路に沿って所定間隔で配置され、光警報器は火災場所及びその周辺の光警報器を第１発光色で発光し、非常口及びその周辺の光警報器を第２発光色で発光し、消防機器の設置場所を第３発光色で発光することで、避難経路の途中の火災場所から遠ざかり、非常口の場所を知って迅速且つ安全な避難行動を可能
とし、更に、消防機器の設置場所を知って迅速な初期消火を可能とする。
【００３９】
（フロアの同期発光による効果）
また、光警報制御装置は、大空間施設のフロア天井側となる設置面の縦及び横方向に配置され、光警報器は火災場所及びその周辺の光警報器を第１発光色で発光し、フロア非常口及びその周辺の光警報器を第２発光色で発光するようにしたため、フロア内の火災場所から遠ざかり、非常口の場所を知って最短距離で直線的に向う迅速且つ安全な避難行動を可能と、更に、フロア内での消防機器の設置場所を知って迅速な初期消火を可能とする。
【図面の簡単な説明】
【００４０】
【図１】Ｒ型火災報知設備に連携して避難経路に配置した光警報器の発光色を制御する警報システムの概略を示した説明図
【図２】図１の火災受信機、火災感知器、光警報制御装置及び光警報器の機能構成を示したブロック図
【図３】片側に非常口がある避難経路における光警報器の配置と発光色を示した説明図
【図４】図３の避難経路について火災を検出した火災感知器のアドレスを、発光色を制御する光警報器アドレスに変換する処理を示した説明図
【図５】図２の光警報制御装置による制御動作を示したフローチャート
【図６】大空間施設のフロアに配置した光警報器の発光色を制御する警報システムの概略を示した説明図
【図７】図６のフロアに設置した光警報器による火災場所と非常口の発光色制御を示した説明図
【図８】図６のフロアについて火災を検出した火災感知器のアドレスを、発光色を制御する光警報器アドレスに変換する処理を示した説明図
【図９】図６の光警報制御装置による制御動作を示したフローチャート
【図１０】Ｐ型火災報知設備に連携して避難経路に配置した光警報器の発光色を制御する警報システムの概略を示した説明図
【図１１】図１０の火災受信機、火災感知器、光警報制御装置及び光警報器の機能構成を示したブロック図
【図１２】無線式Ｐ型火災報知設備に連携して避難経路に配置した光警報器の発光色を制御する警報システムの概略を示した説明図
【図１３】図１２の火災受信機、無線式火災感知器、光警報制御装置及び光警報器の機能構成を示したブロック図
【発明を実施するための形態】
【００４１】
（Ｒ型火災報知設備と連携した警報システムの構成）
図１はＲ型火災報知設備に連携して避難経路に配置した光警報器の発光色を制御する警報システムの概略を示した説明図である。
【００４２】
図１に示すように、本実施形態の警報システムは、Ｒ型の自動火災報知設備との連携を例にとっており、Ｒ型火災受信機１６ａから警戒区域に向けて引き出した伝送路２０ａに、固有のアドレスを設定したアナログ型の火災感知器１８ａを接続している。Ｒ型火災受信機１６ａは火災感知器１８ａからアドレスを含む火災発報電文を受信し、感知器アドレスにより火災場所を特定した火災警報を出力する。
【００４３】
Ｒ型火災受信機１６ａに対しては光警報制御装置１０を接続し、光警報制御装置１０から引き出した伝送路１４に警戒区域の避難経路に沿って配置した複数の光警報器１２を接続している。光警報制御装置１０はＲ型火災受信機１６ａから火災警報に基づく火災移報信号を受信すると、伝送路１４に所定の発光周期毎に同期発光信号を送信し、光警報器１２の同期発光による光警報制御を行う。
【００４４】
また、光警報制御装置１０は、火災感知器１８ａで火災を検出した場合に、火災を検出した火災感知器１８ａの近傍に設置した火災場所の光警報器１２を判別し、火災場所の光警報器１２及びその周辺の光警報器１２を、火災の危険性を示す所定の第１発光色で同期発光する。ここで、第１発光色としては、火災の危険性を示す赤色又は橙色を含む暖色系の発光色とし、以下の説明では第１発光色として赤色とした場合を例にとる。
【００４５】
また、光警報制御装置１０は、火災感知器１８ａで火災を検出した場合に、避難経路が向かう非常口や避難はしご等の避難設備を含む避難場所の近傍に配置した予め定めた光警報器１２を判別し、非常口の光警報器１２及びその周辺の予め定めた光警報器１２を、安全性を示す所定の第２発光色で同期発光する。
【００４６】
ここで、第２発光色としては、非常口などの避難場所の安全性を示す緑色を含む中間色系の発光色とする。なお、第２発光色により安全性を示す場所としては、非常口以外に、避難はしご等を設置した避難設備、避難誘導灯の設置場所や所定の安全地帯等が含まれるが、以下の説明は、非常口を例にとる。
【００４７】
更に、光警報制御装置１０は、火災感知器１８ａで火災を検出した場合に、避難経路に配置している消火用水、消火栓、消火器等の消防機器の設置場所の近傍に配置した予め定めた消防機器設置場所の光警報器１２を判別し、消防機器設置場所の光警報器１２及びその周辺の予め定めた光警報器１２を、消防機器の設置場所を示す第３発光色で同期発光する。ここで、第３発光色としては、消防機器の設置場所を示す青色を含む寒色系の発光色とする。
【００４８】
このため避難経路を通って避難する人は、光警報器１２の火災場所を示す赤色の同期発光から直感的に火災の危険性を判断し、火災場所から遠ざかる方向に避難することができ、また、非常口等の避難場所に近い光警報器１２の安全性を示す緑色の同期発光から直感的に安全性を判断してその方向に向かって安全且つ迅速に避難することを可能し、更に、光警報器１２の青色の同期発光から直感的に消防機器の設置場所を知って迅速な初期消火を可能とする。
【００４９】
ここで、光警報制御装置１０による火災場所の光警報器１２を判別する手法としては、火災感知器１８ａのアドレスとその近傍に配置した光警報器１２のアドレスとの変換テーブルを予め準備しておき、感知器アドレスを光警報器アドレスに変換して、火災場所の光警報器１２を判別する。
【００５０】
また、警戒区域の地図情報、例えばフロアマップ等を準備し、火災を検出した火災感知器１８ａに最も近い光警報器１２を地図情報から検索して、火災場所の光警報器１２を判別してもよい。この地図情報に基づく判別は、担当者が地図情報を見て手動で火災場所の光警報器１２を判別して光警報制御装置１０に設定入力するようにしても良いし、Ｒ型火災受信機１６ａとは別に設置した防災表示装置で管理している警戒区域の地図情報から自動的に検索して光警報制御装置１０に提供するように指定も良い。なお、本実施形態では、変換テーブルによるアドレス変換で火災場所の光警報器を判別する手法を例にとって説明する。
【００５１】
なお、光警報制御装置１０による火災場所、避難場所又は消防機器設置場所の赤色、緑色又は青色の発光色による同期発光の制御の各々が本願の第１発明、第２発明又は第３発明の実施形態となり、また、火災場所、避難場所及び消防機器設置場所の各々の赤色、緑色及び青色の発光色による同期発光の制御が本願の第４発明の実施形態となる。以下の説明は、本願の第４発明の実施形態について説明する。
【００５２】
（警報システムの機能構成）
図２は図１の火災受信機、光警報制御装置及び光警報器の機能構成を示したブロック図、図３は片側に非常口がある避難経路における光警報器の配置を示した説明図、図４は図３の避難経路について火災を検出した火災感知器のアドレスを、発光色を制御する光警報器アドレスに変換する処理を示した説明図である。
【００５３】
（火災受信機）
Ｒ型火災受信機１６ａは、制御部２６を備え、制御部２６に対し伝送部２８ａ、表示部３０、操作部３２、警報部３４及び移報部３６を設けている。
【００５４】
Ｒ型火災受信機１６ａの制御部２６は、例えばプログラムの実行により実現される機能であり、ハードウェアとしてはＣＰＵ、メモリ、各種の入出力ポート等を備えたコンピュータ回路等を使用しており、伝送部２８ａにより火災感知器１８ａからの火災発報電文を受信すると、警報部３４により火災警報を出力すると共に、表示部３０により火災場所を示す表示を行い、更に、移報部３６から火災発生場所を示す感知器アドレスを含む火災移報信号を光警報制御装置１０に出力する。
【００５５】
（光警報器）
光警報器１２は、制御部４４、伝送部４６、及び発光部４８を備え、伝送路１４から電源供給を受けて動作する。光警報器１２の制御部４４は、例えばプログラムの実行により実現される機能であり、ハードウェアとしてはＣＰＵ、メモリ、各種の入出力ポート等を備えたコンピュータ回路等を使用する。
【００５６】
伝送部４６は光警報制御装置１０との間で電文を送受信すると共に光警報制御装置１０から送信した発光同期信号を受信する。
【００５７】
発光部４８には高輝度ＬＥＤやフラッシュライト等とその駆動回路を、白色発光部、赤色発光部、緑色発光部及び青色発光部の４つに分けて設けており、光警報制御装置１０から送信された発光色設定電文により白色発光部、赤色発光部、緑色発光部または青色発光部が選択され、続いて、光警報制御装置１０から予め設定した発光周期Ｔｆ、例えばＴｆ＝２秒の周期で送られてくる発光同期信号を受信する毎に、選択した白色発光部、赤色発光部、緑色発光部または青色発光部を、発光周期Ｔｆ＝２秒の周期で例えば１００ミリ秒の発光時間となる点滅を繰り返す。
【００５８】
ここで、図２の光警報器１２は、図３に示すように、非常口２４に向かう避難経路２２に沿って所定間隔で配置しており、非常口に向かって増加するようにアドレスＡ＝１〜２０を設定している。
【００５９】
（光警報制御装置）
光警報制御装置１０は、制御部３８、移報受信部４０及び伝送部４２を備え、Ｒ型火災受信機１６ａからの電源又は専用電源で動作する。光警報制御装置１０の制御部３８は、例えばプログラムの実行により実現される機能であり、ハードウェアとしてはＣＰＵ、メモリ、各種の入出力ポート等を備えたコンピュータ回路等を使用する。
【００６０】
光警報制御装置１０の制御部３８は、移報受信部４０による火災場所の感知器アドレスＳＡを含む火災移報信号の受信を検出すると、予め設定した変換テーブルを参照して感知器アドレスＳＡを火災場所の光警報器アドレスＡに変換し、火災場所の光警報器アドレスＡとその周囲の光警報器アドレスＡｉを求め、これらのアドレスＡ，Ａｉの光警報器１２に赤色発光設定電文を送信して赤色発光を設定する制御を行う。
【００６１】
図４は火災場所の光警報器アドレスＡからその周囲の光警報器アドレスＡｉを生成するアドレス計算テーブル５０ａの一例であり、火災場所の光警報器アドレスＡの両側２台までを範囲を火災エリアとする場合を例にとっている。
【００６２】
図４のアドレス計算テーブル５０ａには、火災場所の光警報器アドレスＡに続いてその両側２台までを周辺アドレスとして求めるアドレス生成式（Ａ−１）、（Ａ−２）、（Ａ＋１）、（Ａ＋２）を格納している。
【００６３】
例えば図３において、避難経路２２に配置したアドレスＡ＝４の光警報器が火災場所となった場合、図４に示すように、アドレス計算処理５２ａとして、アドレス計算テーブル５０ａのアドレスＡにＡ＝４を代入して計算することにより、アドレステーブル５４ａに示すアドレスＡ＝４，３，２，５，６が得られ、これらのアドレスの光警報器１２に赤色発光の発光色設定電文を送信して赤色発光を選択することで、続いて発光周期Ｔｆで送信する発光同期信号により、図３のアドレスＡ＝２〜６の光警報器１２を、黒丸で示すように、赤色発光により同期発光し、火災場所２５に近い危険な場所であることを表示する。
【００６４】
また、光警報制御装置１０の制御部３８は、非常口２４の近傍の光警報器のアドレスＡ＝２０と、その手前の２台の光警報器のアドレスＡ＝１８，１９を、メモリに設けた安全エリアのアドレステーブルに予め記憶しており、移報受信部４０により火災移報信号の受信を検出した場合、安全エリアのアドレステーブルから光警報器アドレス、例えばＡ＝１８〜２０を読出し、これらのアドレスの光警報器１２に緑色発光の発光色設定電文を送信して緑色発光を選択することで、続いて発光周期Ｔｆで送信する発光同期信号により、図３のアドレスＡ＝１８〜２０の光警報器１２を、斜線の丸で示すように、緑色発光により同期発光し、非常口２４に近い安全な場所であることを表示する。
【００６５】
この安全エリアの光警報器アドレスを生成する場合にも、図４に示したアドレス計算テーブル５０ａに非常口２４の光警報器アドレスＡ＝２０を代入することで、図示で左側２台の光警報器アドレスＡ＝１８，１９を求めることができる。
【００６６】
更に、光警報制御装置１０の制御部３８は、消防機器２３の近傍の光警報器のアドレスＡ＝１３と、その両側の各２台の光警報器のアドレスＡ＝１１，１２，１４，１５を、メモリに設けた消防機器設置エリアのアドレステーブルに予め記憶しており、移報受信部４０により火災移報信号の受信を検出した場合、消防機器エリアのアドレステーブルから光警報器アドレス、例えばＡ＝１１〜１５を読出し、これらのアドレスの光警報器１２に緑色発光の発光色設定電文を送信して青色発光を選択することで、続いて発光周期Ｔｆで送信する発光同期信号により、図３のアドレスＡ＝１１〜１５の光警報器１２を、砂地の丸で示すように、青色発光により同期発光し、消防機器２３の設置場所であることを表示する。
【００６７】
この消防機器設置エリアの光警報器アドレスを生成する場合にも、図４に示したアドレス計算テーブル５０ａに消防機器２３の光警報器アドレスＡ＝１３を代入することで、図示で両側各２台の光警報器アドレスＡ＝１１，１２，１４，１５を求めることができる。
【００６８】
なお、非常口を示す緑色発光を設定する光警報器は、非常口２４の位置により固定的に決まることから、例えばアドレスＡ＝１８〜２０の光警報器１２に設けたディップスイッチの操作等や不揮発メモリへの書込みにより、緑色発光を予め設定記憶しても良い。同様に消防機器設置場所を示す緑色発光を設定する光警報器は、消防機器２３の設置場所により固定的に決まることから、例えばアドレスＡ＝１１〜１５の光警報器１２に設けたディップスイッチの操作等や不揮発メモリへの書込みにより、青色発光を予め設定記憶しても
良い。
【００６９】
また、光警報制御装置１０は、赤色発光、緑色発光又は青色発光を設定していない白色発光の光警報器については、白色発光の発光色設定電文を送信して設定することになるが、白色発光を初期設定とすることで、発光色設定電文の送信を必要とすることなく、白色発光の同期発光を行っても良い。
【００７０】
（発光色を選択する発光制御）
図５は図２の光警報制御装置による制御動作を示したフローチャートである。図５に示すように、光警報制御装置１０の制御部３８は、ステップＳ１でＲ型火災受信機１６ａから火災を検出した感知器アドレスを含む火災移報信号を受信すると、ステップＳ２に進んで予め準備したアドレス変換テーブルを使用し、感知器アドレスを火災場所の光警報器アドレスに変換し、ステップＳ３で火災場所の光警報器アドレスＡを図４に示したアドレス計算テーブル５０ａに代入して、その周辺に位置する光警報器１２を示す火災エリアのアドレスを生成する。
【００７１】
続いてステップＳ４に進み、予め記憶している安全エリアのアドレステーブルから非常口およびその周囲の光警報器１２を示すアドレスを読出して生成し、次に、ステップＳ５に進み、予め記憶している消防機器設置エリアのアドレステーブルから消防機器設置場所およびその周囲の光警報器１２を示すアドレスを読出して生成する。
【００７２】
続いて、ステップＳ６で火災エリアのアドレスを指定した赤色発光の発光色設定電文、安全エリアのアドレスを指定した緑色発光の発光色設定電文、及び消防機器設置エリアのアドレスを指定した青色発光の発光色設定電文を生成してそれぞれ送信し、発光色を設定する。
【００７３】
続いて、ステップＳ７で発光周期Ｔｆ毎に発光同期信号を送信し、火災エリアの光警報器１２を赤色発光により同期発光し、安全エリアの光警報器１２を緑色発光により同期発光し、消防機器設置エリアの光警報器１２を青色発光により同期発光し、さらに、それ以外の光警報器１２は白色発光により同期発光とする。
【００７４】
続いてステップＳ８で火災復旧を監視しており、火災復旧を判別するとステップＳ９に進んで同期発光信号の送信を停止する。
【００７５】
［大空間施設のフロアに設置した警報システム］
図６は大空間施設のフロアに配置した光警報器の発光色を制御する警報システムの概略を示した説明図、図７は図６のフロアに設置した光警報器による火災場所と非常口の発光色制御を示した説明図、図８は図６のフロアについて火災を検出した火災感知器アドレスを発光色を制御する光警報器アドレスに変換する処理を示した説明図である。
【００７６】
（警報システムの構成と機能）
図６に示すように、本実施形態の警報システムは、警戒区域となる大空間施設のフロア６０における天井側となる設置面に、縦及び横方向（図示の上下左右方向）に複数の光警報器１２を配置しており、この例では縦方向（図示の上下方向）に１２台、横方向（図示の左右方向）に１０台の合計１２０台を設置している。フロア６０の左右の略中央には非常口２４を設置し、フロア６０の上下の略中央には消防機器２３を設置している。光警報制御装置１０からは、図示のフロア横方向に配列した１２台の光警報器１２毎に伝送路１４を１回線ずつ引き出して接続している。
【００７７】
光警報制御装置１０は、Ｒ型火災受信機１６ａから火災場所を示す伝送路番号と感知器
アドレスを含む火災移報信号を受信すると、火災場所を含む火災エリアに存在する光警報器１２に赤色発光を設定し、非常口２４を含む安全エリアに存在する光警報器１２に緑色発光を設定し、消防機器２３を含む消防機器設置エリアに存在する光警報器１２に青色発光を設定し、続いて、発光周期Ｔｆで発光同期信号を送信することで、火災エリアの光警報器１２を赤色発光により同期発光し、安全エリアの光警報器１２を緑色発光により同期発光し、消防機器設置エリアの光警報器１２を青色発光により同期発光し、それ以外の光警報器１２は白色発光により同期発光する制御を行う。
【００７８】
ここで、フロア６０に配置した光警報器１２の位置は、図７に示すように、縦方向の伝送路１４の番号Ｌ＝１〜１０と横方向の光警報器アドレスＡ＝１〜１２を組み合わせた２次元アドレス（Ｌ，Ａ）で定まる。なお、以下の説明では、２次元アドレスを単にアドレスとする。
【００７９】
ここで、火災受信機１６からの火災移報信号の伝送路番号と感知器アドレスから、図７に示すように、アドレス（４，３）が火災場所２５の光警報器であることを判別すると、例えば図８に示すアドレス計算テーブル５０ｂを使用し、アドレス計算処理５２ｂにより、火災エリア６２に入る光警報器のアドレスを求める。アドレス計算テーブル５０ｂは、図７の火災場所２５を中心に菱形となる火災エリア６２を形成するようにアドレス計算式を設定している。なお、火災エリアは菱形に限定されず、矩形、円形、楕円形等の適宜の形状とすることができ、エリアの広さも適宜に設定できる。
【００８０】
また、フロア６０の両側の非常口２４の光警報器はアドレス（６，１）、（６，１２）となり、この場合にも図８のアドレス計算テーブル５０ｂを使用してアドレスを求め、これにより図７に示すように、両側の非常口２４の光警報器はアドレス（６，１）、（６，１２）を中心とした菱形の左右半分となる安全エリア６３を形成する。
【００８１】
また、フロア６０上下に示す消防機器２３に近い光警報器１２はアドレス（１，７）、（１０，７）となり、この場合にも図８のアドレス計算テーブル５０ｂを使用してアドレスを求め、これにより図７に示すように、両側の非常口２４の光警報器はアドレス（１，７）、（１０，７）を中心とした菱形の上下半分となる消防機器設置エリア６４を形成する。
【００８２】
ここで、左側の非常口２４の安全エリア６３は火災エリア６２と一部が重なっているが、本実施形態では、火災エリア６２を優先することで、重複した位置の光警報器には赤色発光を設定する。
【００８３】
また非常口２４に対応した安全エリア６３に入る光警報器については、システム立上げ段階で緑色発光に初期設定しておき、火災エリアと重複した場合に光警報制御装置１０から赤色発光の発光色設定電文を送信して赤色発光に切替えるようにしても良い。
【００８４】
また、消防機器設置エリア６４が火災エリア６２と一部が重なった場合には、本実施形態では、火災エリア６２を優先することで、重複した位置の光警報器には赤色発光を設定する。この場合にも、消防機器設置エリア６３に入る光警報器については、システム立上げ段階で青色発光に初期設定しておき、火災エリアと重複した場合に光警報制御装置１０から赤色発光の発光色設定電文を送信して赤色発光に切替えるようにしても良い。
【００８５】
更に、安全エリア６３と消防機器設置エリア６４で一部が重なった場合には、予め設定した優先度に基づき、何れか一方の発光色を優先して、重複した位置の光警報器には優先度の高い発光色を設定する。
【００８６】
更に、火災エリア６２，安全エリア６３及び消防機器設定エリア６４に対し必要に応じて所定の優先度を予め設定し、エリアが重複した位置の光警報器については、優先度に従った発光色を設定するようにしても良い。
【００８７】
（発光制御）
図９は図６の光警報制御装置による制御動作を示したフローチャートである。図９に示すように、光警報制御装置１０は、ステップＳ１１でＲ型火災受信機１６ａから火災を検出した伝送路番号と感知器アドレスを含む火災移報信号を受信すると、ステップＳ１２に進んで予め準備したアドレス変換テーブルを使用し、伝送路番号と感知器アドレスを火災場所の光警報器１２を示す２次元アドレスである光警報器（Ｌ，Ａ）に変換し、ステップＳ１３で火災場所の光警報器アドレス（Ｌ，Ａ）を図８に示したアドレス計算テーブル５０ｂに代入して、その周辺に位置する光警報器１２を示す火災エリアのアドレスを生成する。
【００８８】
続いてステップＳ１４に進み、予め記憶している安全エリアのアドレステーブルから非常口およびその周囲の光警報器を示す安全エリアのアドレス（２次元アドレス）を読出して生成し、次にステップＳ１５に進み、予め記憶している消防機器設置エリアのアドレステーブルから消防機器およびその周囲の光警報器を示す消防機器設置エリアのアドレス（２次元アドレス）を読出して生成する。
【００８９】
続いて、ステップＳ１６で火災エリアの２次元アドレスを指定（伝送路とアドレスの指定）した赤色発光の発光色設定電文、安全エリアの２次元アドレスを指定した緑色発光の発光色設定電文、及び消防機器設置エリアの２次元アドレスを指定した青色発光の発光色設定電文を生成してそれぞれ送信する。ここで、火災エリアのアドレスと安全エリア又は消防機器設置エリアのアドレスが重複した場合は、火災エリア優先であることから、赤色発光の発光色設定電文を送信する。
【００９０】
続いて、ステップＳ１７で発光周期Ｔｆ毎に発光同期信号を送信し、火災エリアの光警報器を赤色発光により同期発光し、安全エリアの光警報器を緑色発光により同期発光し、消防機器設置エリアの光警報器を青色発光により同期発光し、さらに、それ以外の光警報器１２は白色発光により同期発光とする。続いてステップＳ１８で火災復旧を監視しており、火災復旧を判別するとステップＳ１９に進んで同期発光信号の送信を停止する。
【００９１】
［Ｐ型火災報知設備と連携した警報システム］
図１０はＰ型火災報知設備に連携して避難経路に配置した光警報器の発光色を制御する警報システムの概略を示した説明図である。
【００９２】
図１０に示すように、本実施形態の警報システムはＰ型火災報知設備と連携しており、Ｐ型火災受信機１６ｂから警戒区域毎に分けて引き出した感知器回線２０ｂに、移報回路を備えた感知器ベース１５を介して火災感知器１８ｂを接続している。なお、図１０は１つの警戒区域に引き出した感知器回線２０ｂに火災感知器１８ｂを接続した場合を代表して示している。
【００９３】
Ｐ型火災受信機１６ｂは火災感知器１８ｂで火災を検知した場合に感知器回線２０ｂに流す発報電流による火災信号を受信して火災警報を出力すると共に、感知器回線２０ｂに対応した火災が発生した警戒区域を示す地区表示を行う。
【００９４】
Ｐ型火災受信機１６ｂに対しては感知器回線２０ｂに対応して設けた移報回線１１を介して光警報制御装置１０を接続し、光警報制御装置１０から警戒区域に対応して引き出した伝送路１４に、警戒区域の避難経路またはフロアに配置した複数の光警報器１２を接続
している。なお、図１は１回線の伝送路１４に光警報器１２を接続した場合を代表して示している。
【００９５】
また、光警報器１２は近傍に配置した火災感知器１８ｂの感知器ベース１５から引き出した移報回線２１を接続しており、火災感知器１８ｂが火災を検知して感知器回線２０ｂに発報電流を流すと、この発報電流により感知器ベース１５に設けた移報回路が動作し、火災移報信号を移報回線２１で接続した光警報器１２に出力する。火災感知器１８ｂ側から火災移報信号を受信した光警報器１２は、自己アドレスを含む火災場所通知電文を生成し、伝送路１４を介して光警報制御装置１０に送信する。
【００９６】
光警報制御装置１０は、Ｐ型火災受信機１６ｂから火災を検出した警戒区域に対応した火災移報信号を受信した場合、伝送路１４を介して光警報器１２から火災場所通知電文を受信しており、これにより火災場所の光警報器１２を判別し、火災場所の光警報器１２及びその周辺の光警報器１２を、火災の危険性を示す第１発光色なる例えば赤色で同期発光し、避難経路が向かう非常口の近傍に配置した予め定めた非常口の光警報器１２を判別し、非常口の光警報器１２及びその周辺の予め定めた光警報器１２を、安全性を示す第２発光色となる例えば緑色で同期発光し、避難経路の所定位置に配置した消防機器の近くの光警報器１２及びその周辺の予め定めた光警報器１２を、消防機器設置場所を示す第３発光色となる例えば青色で同期発光し、それ以外の光警報器１２は白色で同期発光する。
【００９７】
［警報システムの機能構成］
図１１は図１０の火災受信機、火災感知器、光警報制御装置及び光警報器の機能構成を示したブロック図である。
【００９８】
（火災受信機）
図１１に示すように、Ｐ型火災受信機１６ｂは、制御部２６を備え、制御部２６に対し、複数の回線受信部２８ｂ、表示部３０、操作部３２、警報部３４及び移報部３６を設けている。
【００９９】
Ｐ型火災受信機１６ｂの制御部２６は、例えばプログラムの実行により実現される機能であり、ハードウェアとしてはＣＰＵ、メモリ、各種の入出力ポート等を備えたコンピュータ回路等を使用している。
【０１００】
Ｐ型火災受信機１６ｂの制御部２６は、回線受信部２８ｂの何れかにより火災感知器１８ｂの火災発報による火災信号を受信すると、警報部３４により火災警報を出力すると共に、表示部３０により火災が発生した警戒区域を示す地区表示を行い、更に、移報部３６から火災が発生した警戒区域を示す火災移報信号を光警報制御装置１０に出力する。
【０１０１】
（火災感知器と感知器ベース）
火災感知器１８ｂは、天井面に固定した感知器ベース１５に着脱自在に設けており、感知器ベース１５を介してＰ型火災受信機１６ｂから引き出された感知器回線２０ｂを構成する感知器線Ｌとコモン線Ｃに接続している。
【０１０２】
感知器ベース１５の内部には移報リレー７２と移報リレー接点７４からなる移報回路を設けており、移報リレー７２は火災感知器１８ｂと感知器線Ｌを結ぶラインに挿入している。火災感知器１８ｂが火災発報して感知器線Ｌとコモン線Ｃの間に発報電流が流れると、この発報電流により感知器ベース１５内の移報リレー７２が作動して移報リレー接点７４を閉じ、移報回線２１により接続した光警報器１２に火災移報信号を出力する。なお、感知器ベース１５に設ける移報回路は、移報リレー以外に適宜の移報回路が含まれる。
【０１０３】
（光警報制御装置）
光警報制御装置１０は、制御部３８、移報受信部４０及び伝送部４２を備え、火災受信機１６からの電源又は専用電源で動作し、その機能は図２の実施形態と同じになる。
【０１０４】
（光警報器）
光警報器１２は、制御部４４、伝送部４６、発光部４８及び移報受信部７０を備え、伝送路１４から電源供給を受けて動作する。移報受信部７０は、移報回線２１で接続した火災感知器１８ｂの感知器ベース１５から火災移報信号を受信して制御部４４に出力する。
【０１０５】
光警報器１２の制御部４４は、移報受信部７０による火災移報信号の受信を検出すると、火災場所を示す自己アドレスを含む火災場所通知電文を生成し、伝送部４６に指示して光警報制御装置１０に送信させる制御を行う。
【０１０６】
これ以外の光警報制御装置１０の構成及び機能は図２の実施形態と同じになる。
【０１０７】
［無線式のＰ型火災報知設備と連携した警報システム］
図１２は無線式Ｐ型火災報知設備に連携して避難経路に配置した光警報器の発光色を制御する警報システムの概略を示した説明図である。
【０１０８】
図１２に示すように、本実施形態の警報システムは無線式のＰ型火災報知設備と連携しており、Ｐ型火災受信機１６ｂから警戒区域に分けて引き出した感知器回線に、警戒区域毎に設けた受信用中継器８０を接続する。受信用中継器８０に対しては、対応する警戒区域に無線式火災感知器１８ｃを配置している。
【０１０９】
無線式火災感知器１８ｃは火災を検出するとアドレスを含む火災電文を無線送信する。無線式感知器１８ｃから送信された火災電文は、同じ警戒区域に設置している受信用中継器８０で受信され、Ｐ型火災受信機１６ｂから引き出された感知器回線に発報電流を流して火災信号を送信する。
【０１１０】
Ｐ型火災受信機１６ｂは受信用中継器８０からの火災信号の受信を検出した場合に、火災警報を出力すると共に、火災信号を出力した受信用中継器８０に対応した警戒区域で火災が発生したことを示す地区表示を行う。
【０１１１】
Ｐ型火災受信機１６ｂに対しては受信用中継器８０に対応して設けた移報回線１１を介して光警報制御装置１０を接続し、光警報制御装置１０から引き出した伝送路１４に警戒区域の避難経路またはフロアに配置した複数の光警報器１２を接続している。
【０１１２】
光警報器１２は無線式火災感知器１８ｃが無線送信した火災電文を受信する通信機能を備えており、火災電文の受信強度が所定値以上の場合、近傍に配置した無線式火災感知器１８ｃより検出した火災場所と判断し、自己アドレスを含む火災場所通知電文を生成し、伝送路１４を介して光警報制御装置１０に送信する。
【０１１３】
光警報制御装置１０はＰ型火災受信機１６ｂから火災を検出した警戒区域に対応した火災移報信号を受信した場合、伝送路１４を介して火災を検知したと同じ警戒区域に設置している光警報器１２から火災場所通知電文を受信しており、これにより火災場所の光警報器１２を判別し、火災場所の光警報器１２及びその周辺の光警報器１２を、火災の危険性を示す赤色で同期発光し、非常口の近傍に配置した予め定めた非常口の光警報器１２を判別し、非常口の光警報器１２及びその周辺の予め定めた光警報器１２を、安全性を示す緑色で同期発光し、避難経路の所定位置に配置した消防機器の近くの光警報器１２及びその周辺の予め定めた光警報器１２を、消防機器設置場所を示す第３発光色となる例えば青色
で同期発光し、それ以外の光警報器１２は白色で同期発光する。
【０１１４】
（警報システムの機能構成）
図１３は図１２の火災受信機、受信用中継器、無線式火災感知器、光警報制御装置及び光警報器の機能構成を示したブロック図である。
【０１１５】
図１３に示すように、Ｐ型火災受信機１６ｂは、制御部２６を備え、制御部２６に対し、複数の回線受信部２８ｂ、表示部３０、操作部３２、警報部３４及び移報部３６を設けており、図１１の実施形態と基本的に同じになる。
【０１１６】
無線式火災感知器１８ｃは、火災による熱または煙を検出した場合に自己アドレスを含む火災電文を無線送信する。
【０１１７】
受信用中継器８０は、制御部８２、アンテナ８５を接続した通信部８４及び回線送信部８６を備え、Ｐ型火災受信機１６ｂからの電源又は専用電源で動作する。受信用中継器８０の制御部８２は、例えばプログラムの実行により実現される機能であり、ハードウェアとしてはＣＰＵ、メモリ、各種の入出力ポート等を備えたコンピュータ回路等を使用する。
【０１１８】
受信用中継器８０の制御部８２は、自己に割り当てられた無線式火災感知器１８ｃのアドレスを予め登録しており、登録アドレスに一致する感知器アドレスの火災電文を有効な電文として受信し、Ｐ型火災受信機１６ｂから引き出された感知器回線に発報電流を流すことで、火災信号をＰ型火災受信機１６ｂに送信する。
【０１１９】
ここで、受信用中継器８０の通信部８４と無線式火災感知器１８ｃとの間の無線通信は、日本国内の場合には例えば４００ＭＨｚ帯の特定小電力無線局の標準規格に従った無線通信を行っている。
【０１２０】
光警報器１２は、制御部４４、伝送部４６、発光部４８及びアンテナ９２を接続した通信部９０を備える。光警報器１２の制御部４４は、通信部９０から入力した受信強度検出信号が所定値以上の場合、近傍に配置した無線式火災感知器１８ｃにより検出された火災場所と判断し、自己アドレスを含む火災場所通知電文を生成し、伝送部４６に指示して光警報制御装置１０に送信させる制御を行う。
【０１２１】
これ以外の光警報器１２の制御部４４、伝送部４６、発光部４８の機能は図２の実施形態と基本的に同じになる。
【０１２２】
［本発明の変形例］
（発光色）
上記の実施形態は、火災の危険性を示す第１発光色を赤色としているが、これ以外に橙色（オレンジ色）等を含む暖色系の発光色としても良い。また、上記の実施形態は、非常口等の安全性を示す第２発光色を中間色系の緑色とし、消防機器の設置場所を示す第３発光色を寒色系の青色としているが、これ以外に中間色系又は寒色系の適宜の発光色としても良い。
【０１２３】
（発光エリア）
上記の実施形態は、非常口の近辺を安全エリアに設定して光警報器を緑色発光し、消火栓等の消防機器を設置場所とその近辺を消防機器設置とエリアに設定して光警報器を青色発光しているが、これ以下のエリアについても、適宜の発光色を設定して識別表示可能としても良い。
【０１２４】
（光警報制御装置）
上記の実施形態は、火災受信機の外部に光警報制御装置を設けているが、火災受信機に光警報制御装置としての機能を内蔵させても良い。
【０１２５】
（その他）
また、本発明はその目的と利点を損なうことのない適宜の変形を含み、更に上記の実施形態に示した数値による限定は受けない。
【符号の説明】
【０１２６】
１０：光警報制御装置
１１，２１：移報回線
１２：光警報器
１４，２０ａ：伝送路
１５：感知器ベース
１６ａ：Ｒ型火災受信機
１６ｂ：Ｐ型火災受信機
１８ａ，１８ｂ：火災感知器
１８ｃ：無線式火災感知器
２０ｂ：感知器回線
２２：避難経路
２３：消防機器
２４：非常口
２６，３８，４４，８２：制御部
２８ａ，４２，４６：伝送部
２８ｂ：回線受信部
３６：移報部
４０，７０：移報受信部
４８：発光部
５０ａ，５０ｂ：アドレス計算テーブル
６０：フロア
６２：火災エリア
６３：安全エリア
６４：消防機器設置エリア
７２：移報リレー
７４：移報リレー接点
８０：受信用中継器
８４，９０：通信部
８６：回線送信部